(57)【要約】  本開示は、物理下りリンク制御チャネルのモニタリング方法、ユーザ機器及びネットワーク側機器を提供する。該方法は、前記ＵＥにモニターされた第１ＰＤＣＣＨのＤＣＩにおける１つ又は複数のビットを取得するステップと、前記第１ＰＤＣＣＨのＤＣＩにおける１つ又は複数のビットに基づいて、モニターされないＰＤＣＣＨ及び／又はモニターされるＰＤＣＣＨを決定するステップとを含み、前記第１ＰＤＣＣＨのＤＣＩにおける１つ又は複数のビットは、モニターされないＰＤＣＣＨ及び／又はモニターされるＰＤＣＣＨを指示する。
2021520142.tif 000002
【特許請求の範囲】
【請求項１】
ユーザ機器ＵＥにおける、物理下りリンク制御チャネルＰＤＣＣＨのモニタリング方法であって、
前記ＵＥにモニターされた第１ＰＤＣＣＨの下り制御情報ＤＣＩにおける１つ又は複数のビットを取得するステップと、
前記第１ＰＤＣＣＨのＤＣＩにおける１つ又は複数のビットに基づいて、モニターされないＰＤＣＣＨ及び／又はモニターされるＰＤＣＣＨを決定するステップとを含み、
前記第１ＰＤＣＣＨのＤＣＩにおける１つ又は複数のビットは、モニターされないＰＤＣＣＨ及び／又はモニターされるＰＤＣＣＨを指示する、方法。
【請求項２】
前記ネットワーク側から送信された指示情報を受信するステップをさらに含み、
前記指示情報は、
前記ＵＥが前記第１ＰＤＣＣＨをモニターすること、又はネットワーク側が前記ＵＥに前記第１ＰＤＣＣＨを設定することを指示する、又は
前記ＵＥが前記第１ＰＤＣＣＨをモニターしないこと、又はネットワーク側が前記ＵＥに前記第１ＰＤＣＣＨを設定していないことを指示するために用いられる、請求項１に記載の方法。
【請求項３】
前記第１ＰＤＣＣＨのＤＣＩにおける１つ又は複数のビットは、モニターされないＰＤＣＣＨを指示することは、
前記第１ＰＤＣＣＨのＤＣＩにおける１つ又は複数のビットは、前記ＵＥが、後続のＮ個のスロットにおいて、前記第１ＰＤＣＣＨと同じＤＣＩフォーマット又は特定のＤＣＩフォーマットを有する第２ＰＤＣＣＨをモニターしないことを指示することと、
前記第１ＰＤＣＣＨのＤＣＩにおける１つ又は複数のビットは、前記ＵＥが、後続のＮ個のスロットにおいて、前記第１ＰＤＣＣＨと同じ無線ネットワーク一時的識別子ＲＮＴＩ又は特定のＲＮＴＩを有する第３ＰＤＣＣＨをモニターしないことを指示することと、
前記第１ＰＤＣＣＨのＤＣＩにおける１つ又は複数のビットは、前記ＵＥが、後続のＮ個のスロットにおいて、前記第１ＰＤＣＣＨと同じサーチスペース又は特定のサーチスペースを有する第４ＰＤＣＣＨをモニターしないことを指示することと、
前記第１ＰＤＣＣＨのＤＣＩにおける１つ又は複数のビットは、前記ＵＥが、後続のＮ個のスロットにおいて、前記第１ＰＤＣＣＨと同じサーチスペースタイプ又は特定のサーチスペースタイプを有する第５ＰＤＣＣＨをモニターしないことを指示することと、
前記第１ＰＤＣＣＨのＤＣＩにおける１つ又は複数のビットは、前記ＵＥが、後続のＮ個のスロットにおいて、前記ＰＤＣＣＨと同じ制御リソースセットＣＯＲＥＳＥＴ又は特定のＣＯＲＥＳＥＴを有する第６ＰＤＣＣＨをモニターしないことを指示することとのうち、少なくとも１つを含み、
Ｎは１以上の整数である、請求項１に記載の方法。
【請求項４】
前記第１ＰＤＣＣＨのＤＣＩにおける１つ又は複数のビットは、前記ＵＥが、後続のＮ個のスロットにおいて、前記第１ＰＤＣＣＨと同じＤＣＩフォーマットを有する第２ＰＤＣＣＨ又は特定のＤＣＩフォーマットを有する第２ＰＤＣＣＨをモニターしないことを指示することは、
前記第１ＰＤＣＣＨの第１ＤＣＩフォーマット又は第２ＤＣＩフォーマットのＤＣＩにおける１つ又は複数のビットは、前記ＵＥが、後続のＮ個のスロットにおいて、第１ＤＣＩフォーマット又は第２ＤＣＩフォーマットを有する第２ＰＤＣＣＨをモニターしないことを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットにおいて、第１ＤＣＩフォーマット又は第３ＤＣＩフォーマットを有する第２ＰＤＣＣＨをモニターしないことを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットにおいて、第２ＤＣＩフォーマット又は第４ＤＣＩフォーマットを有する第２ＰＤＣＣＨをモニターしないことを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットにおいて、第１ＤＣＩフォーマット又は第３ＤＣＩフォーマットを有する第２ＰＤＣＣＨをモニターしないことを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットにおいて、第２ＤＣＩフォーマット又は第４ＤＣＩフォーマットを有する第２ＰＤＣＣＨをモニターしないことを指示することと、
前記第１ＰＤＣＣＨの第１ＤＣＩフォーマット、第２ＤＣＩフォーマット、第３ＤＣＩフォーマット、又は第４ＤＣＩフォーマットのＤＣＩにおける１つ又は複数のビットは、前記ＵＥが、後続のＮ個のスロットにおいて、第１ＤＣＩフォーマット、第２ＤＣＩフォーマット、第３ＤＣＩフォーマット、又は第４ＤＣＩフォーマットを有する第２ＰＤＣＣＨをモニターしないことを指示することと、
前記第１ＰＤＣＣＨの第５ＤＣＩフォーマットのＤＣＩにおける１つ又は複数のビットは、前記ＵＥが、後続のＮ個のスロットにおいて、第５ＤＣＩフォーマットを有する第２ＰＤＣＣＨをモニターしないことを指示することと、のうち少なくとも１つを含み、     前記第１のＤＣＩフォーマットは、１つのセルの物理上りリンク共有チャネルをスケジューリングするために用いられ、
前記第２のＤＣＩフォーマットは、１つのセルの物理下りリンク共有チャネルをスケジューリングするために用いられ、
前記第３のＤＣＩフォーマットは、１つのセルの物理上りリンク共有チャネルをスケジューリングするために用いられ、
前記第４のＤＣＩフォーマットは、１つのセルの物理下りリンク共有チャネルをスケジューリングするために用いられ、
前記第５のＤＣＩフォーマットは、１グループのＵＥのスロットフォーマットを通知するために用いられる、請求項３に記載の方法。
【請求項５】
前記後続のＮ個のスロットは、ネットワーク側によって設定されたモニタリング周期とオフセットを満たす後続のＮ個のスロット、又はネットワーク側によって設定されたモニタリング周期とオフセットを満たす後続のＮ個の下りリンクスロットを指す、請求項３に記載の方法。
【請求項６】
前記第１ＰＤＣＣＨのＤＣＩにおける１つ又は複数のビットは、モニターされるＰＤＣＣＨを指示することは、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じＤＣＩフォーマット又は特定のＤＣＩフォーマットを有する第７ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じの無線ネットワーク一時的識別子ＲＮＴＩ又は特定のＲＮＴＩを有する第８ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペース又は特定のサーチスペースを有する第９ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペースタイプ又は特定のサーチスペースタイプを有する第１０ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記ＰＤＣＣＨと同じ制御リソースセットＣＯＲＥＳＥＴ又は特定ＣＯＲＥＳＥＴを有する第１１ＰＤＣＣＨをモニターすることを指示することと、のうち少なくとも１つを含み、
Ｎは１以上の整数である、請求項１に記載の方法。
【請求項７】
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じＤＣＩフォーマット又は特定のＤＣＩフォーマットを有する第７ＰＤＣＣＨをモニターすることを指示することは、
前記第１ＰＤＣＣＨの第１ＤＣＩフォーマット又は第２ＤＣＩフォーマットのＤＣＩにおける１つ又は複数のビットは、前記ＵＥが、後続のＮ個のスロットの後の最初のスロットにおいて、第１ＤＣＩフォーマット又は第２ＤＣＩフォーマットを有する第７ＰＤＣＣＨをモニターすることを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットの後の最初のスロットにおいて、第１ＤＣＩフォーマット又は第３ＤＣＩフォーマットを有する第７ＰＤＣＣＨをモニターすることを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットの後の最初のスロットにおいて、第２ＤＣＩフォーマット又は第４ＤＣＩフォーマットを有する第７ＰＤＣＣＨをモニターすることを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットの後の最初のスロットにおいて、第１ＤＣＩフォーマット又は第３ＤＣＩフォーマットを有する第７ＰＤＣＣＨをモニターすることを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットの後の最初のスロットにおいて、第２ＤＣＩフォーマット又は第４ＤＣＩフォーマットを有する第２ＰＤＣＣＨをモニターすることを指示することと、
前記第１ＰＤＣＣＨの第１ＤＣＩフォーマット、第２ＤＣＩフォーマット、第３ＤＣＩフォーマット、又は第４ＤＣＩフォーマットのＤＣＩにおける１つ又は複数のビットは、前記ＵＥが、後続のＮ個のスロットの後の最初のスロットにおいて、第１ＤＣＩフォーマット、第２ＤＣＩフォーマット、第３ＤＣＩフォーマット、又は第４ＤＣＩフォーマットを有する第７ＰＤＣＣＨをモニターすることを指示することと、
前記第１ＰＤＣＣＨの第５ＤＣＩフォーマットのＤＣＩにおける１つ又は複数のビットは、前記ＵＥが、後続のＮ個のスロットの後の最初のスロットにおいて、第５ＤＣＩフォーマットを有する第７ＰＤＣＣＨをモニターすることを指示することと、のうち少なくとも１つを含み、
前記第１ＤＣＩフォーマットは、１つのセルの物理上りリンク共有チャネルをスケジューリングするために用いられ、
前記第２ＤＣＩフォーマットは、１つのセルの物理下りリンク共有チャネルをスケジューリングするために用いられ、
前記第３ＤＣＩフォーマットは、１つのセルの物理上りリンク共有チャネルをスケジューリングするために用いられ、
前記第４ＤＣＩフォーマットは、１つのセルの物理下りリンク共有チャネルをスケジューリングするために用いられ、
前記第５ＤＣＩフォーマットは、１グループのＵＥのスロットフォーマットを通知するために用いられる、請求項６に記載の方法。
【請求項８】
前記後続のＮ個のスロットの後の前記最初のスロットは、ネットワーク側によって設定されたモニタリング周期とオフセットを満たす後続のＮ個のスロットの後の、ネットワーク側によって設定されたモニタリング周期とオフセットを満たす最初のスロット、又は、ネットワーク側によって設定されたモニタリング周期とオフセットを満たす後続のＮ個のスロットの後の、ネットワーク側によって設定されたモニタリング周期とオフセットを満たす最初の下りリンクスロットを指す、請求項６に記載の方法。
【請求項９】
前記ＤＣＩは既存のＤＣＩフォーマットを再利用する、又は前記ＤＣＩは新しいＤＣＩフォーマットである、請求項１に記載の方法。
【請求項１０】
前記第１ＰＤＣＣＨのＤＣＩにおける１つ又は複数のビットは、モニターされるＰＤＣＣＨを指示することは、
前記第１ＰＤＣＣＨのＤＣＩにおける１つ又は複数のビットが指示する意味は、前記ＵＥがＰＤＣＣＨをモニターするデフォルトモニタリング動作を含むことを含む、請求項１に記載の方法。
【請求項１１】
前記デフォルトモニタリング動作は、前記ＵＥが、ネットワーク側によって設定されたモニタリング周期及びオフセットに合致する次のスロット又は下りリンクスロットにおいてＰＤＣＣＨをモニターすることを少なくとも含む、請求項１０に記載の方法。
【請求項１２】
前記第１ＰＤＣＣＨのＤＣＩにおける１つ又は複数のビットは、前記ＵＥが、後続のＮ個のスロットにおいて、前記第１ＰＤＣＣＨと同じサーチスペースタイプ又は特定のサーチスペースタイプを有する第５ＰＤＣＣＨをモニターしないことを指示することは、
第１共通サーチスペースタイプに属する前記第１ＰＤＣＣＨのＤＣＩにおける１つ又は複数のビットは、前記ＵＥが、後続のＮ個のスロットにおいて、第１共通サーチスペースタイプを有する第５ＰＤＣＣＨをモニターしないことを指示することと、
第２共通サーチスペースタイプに属する前記第１ＰＤＣＣＨのＤＣＩにおける１つ又は複数のビットは、前記ＵＥが、後続のＮ個のスロットにおいて、第２の共通サーチスペースタイプを有する第５ＰＤＣＣＨをモニターしないことを指示することと、
第３共通サーチスペースタイプに属する前記第１ＰＤＣＣＨのＤＣＩにおける１つ又は複数のビットは、前記ＵＥが、後続のＮ個のスロットにおいて、第３共通サーチスペースタイプを有する第５ＰＤＣＣＨをモニターしないことを指示することと、
第４共通サーチスペースタイプに属する前記第１ＰＤＣＣＨのＤＣＩにおける１つ又は複数のビットは、前記ＵＥが、後続のＮ個のスロットにおいて、第４の共通サーチスペースタイプを有する第５のＰＤＣＣＨをモニターしないことを指示することと、
ＵＥ個別サーチスペースに属する前記第１ＰＤＣＣＨのＤＣＩにおける１つ又は複数のビットは、前記ＵＥが、後続のＮ個のスロットにおいてＵＥ個別サーチスペースを有する第５ＰＤＣＣＨをモニターしないことを指示することと、
第１サーチスペースタイプに属する前記第１ＰＤＣＣＨのＤＣＩにおける１つ又は複数のビットは、前記ＵＥが、後続のＮ個のスロットにおいて、第２サーチスペースタイプを有する第５ＰＤＣＣＨをモニターしないことを指示することと、のうち少なくとも１つを含む、請求項３に記載の方法。
【請求項１３】
ネットワーク側機器における、物理下りリンク制御チャネルＰＤＣＣＨの設定方法であって、
第１ＰＤＣＣＨの下り制御情報ＤＣＩにおける１つ又は複数のビットを設定するステップを含み、前記第１ＰＤＣＣＨのＤＣＩにおける１つ又は複数のビットは、ユーザ機器ＵＥにモニターされないＰＤＣＣＨ及び／又はモニターされるＰＤＣＣＨを指示する、方法。
【請求項１４】
前記ＵＥに指示情報を送信するステップをさらに含み、
前記指示情報は、
前記ＵＥが前記第１ＰＤＣＣＨをモニターすること、又はネットワーク側が前記ＵＥに前記第１ＰＤＣＣＨを設定することを指示する、又は
前記ＵＥが前記第１ＰＤＣＣＨをモニターしないこと、又はネットワーク側が前記ＵＥに前記第１ＰＤＣＣＨを設定していないことを指示するために用いられる、請求項１３に記載の方法。
【請求項１５】
前記第１ＰＤＣＣＨのＤＣＩにおける１つ又は複数のビットは、モニターされないＰＤＣＣＨを指示することは、
前記第１ＰＤＣＣＨのＤＣＩにおける１つ又は複数のビットは、前記ＵＥが、後続のＮ個のスロットにおいて、前記第１ＰＤＣＣＨと同じＤＣＩフォーマット又は特定のＤＣＩフォーマットを有する第２ＰＤＣＣＨをモニターしないことを指示することと、
前記第１ＰＤＣＣＨのＤＣＩにおける１つ又は複数のビットは、前記ＵＥが、後続のＮ個のスロットにおいて、前記第１ＰＤＣＣＨと同じ無線ネットワーク一時的識別子ＲＮＴＩ又は特定のＲＮＴＩを有する第３ＰＤＣＣＨをモニターしないことを指示することと、
前記第１ＰＤＣＣＨのＤＣＩにおける１つ又は複数のビットは、前記ＵＥが、後続のＮ個のスロットにおいて、前記第１ＰＤＣＣＨと同じサーチスペース又は特定のサーチスペースを有する第４ＰＤＣＣＨをモニターしないことを指示することと、
前記第１ＰＤＣＣＨのＤＣＩにおける１つ又は複数のビットは、前記ＵＥが、後続のＮ個のスロットにおいて、前記第１ＰＤＣＣＨと同じサーチスペースタイプ又は特定のサーチスペースタイプを有する第５ＰＤＣＣＨをモニターしないことを指示することと、     前記第１ＰＤＣＣＨのＤＣＩにおける１つ又は複数のビットは、前記ＵＥが、後続のＮ個のスロットにおいて、前記ＰＤＣＣＨと同じ制御リソースセットＣＯＲＥＳＥＴ又は特定のＣＯＲＥＳＥＴを有する第６ＰＤＣＣＨをモニターしないことを指示することと、のうち少なくとも１つを含み、
Ｎは１以上の整数である、請求項１３に記載の方法。
【請求項１６】
前記第１ＰＤＣＣＨのＤＣＩにおける１つ又は複数のビットは、前記ＵＥが、後続のＮ個のスロットにおいて、前記第１ＰＤＣＣＨと同じＤＣＩフォーマット又は特定のＤＣＩフォーマットを有する第２ＰＤＣＣＨをモニターしないことを指示することは、
前記第１ＰＤＣＣＨの第１ＤＣＩフォーマット又は第２ＤＣＩフォーマットのＤＣＩにおける１つ又は複数のビットは、前記ＵＥが、後続のＮ個のスロットにおいて、第１ＤＣＩフォーマット又は第２ＤＣＩフォーマットを有する第２ＰＤＣＣＨをモニターしないことを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットにおいて、第１ＤＣＩフォーマット又は第３ＤＣＩフォーマットを有する第２ＰＤＣＣＨをモニターしないことを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットにおいて、第２ＤＣＩフォーマット又は第４ＤＣＩフォーマットを有する第２ＰＤＣＣＨをモニターしないことを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットにおいて、第１ＤＣＩフォーマット又は第３ＤＣＩフォーマットを有する第２ＰＤＣＣＨをモニターしないことを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットにおいて、第２ＤＣＩフォーマット又は第４ＤＣＩフォーマットを有する第２ＰＤＣＣＨをモニターしないことを指示することと、
前記第１ＰＤＣＣＨの第１ＤＣＩフォーマット、第２ＤＣＩフォーマット、第３ＤＣＩフォーマット、又は第４ＤＣＩフォーマットのＤＣＩにおける１つ又は複数のビットは、前記ＵＥが、後続のＮ個のスロットにおいて、第１ＤＣＩフォーマット、第２ＤＣＩフォーマット、第３ＤＣＩフォーマット、又は第４ＤＣＩフォーマットを有する第２ＰＤＣＣＨをモニターしないことを指示することと、
前記第１ＰＤＣＣＨの第５ＤＣＩフォーマットのＤＣＩにおける１つ又は複数のビットは、前記ＵＥが、後続のＮ個のスロットにおいて、第５ＤＣＩフォーマットを有する第２ＰＤＣＣＨをモニターしないことを指示することと、のうち少なくとも１つを含み、
前記第１のＤＣＩフォーマットは、１つのセルの物理上りリンク共有チャネルをスケジューリングするために用いられ、
前記第２のＤＣＩフォーマットは、１つのセルの物理下りリンク共有チャネルをスケジューリングするために用いられ、
前記第３のＤＣＩフォーマットは、１つのセルの物理上りリンク共有チャネルをスケジューリングするために用いられ、
前記第４のＤＣＩフォーマットは、１つのセルの物理下りリンク共有チャネルをスケジューリングするために用いられ、
前記第５のＤＣＩフォーマットは、１グループのＵＥのスロットフォーマットを通知するために用いられる、請求項１５に記載の方法。
【請求項１７】
前記後続のＮ個のスロットは、ネットワーク側によって設定されたモニタリング周期とオフセットを満たす後続のＮ個のスロット、又はネットワーク側によって設定されたモニタリング周期とオフセットを満たす後続のＮ個の下りリンクスロットを指す、請求項１５に記載の方法。
【請求項１８】
前記第１ＰＤＣＣＨのＤＣＩにおける１つ又は複数のビットは、モニターされるＰＤＣＣＨを指示することは、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じＤＣＩフォーマット又は特定のＤＣＩフォーマットを有する第７ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じの無線ネットワーク一時的識別子ＲＮＴＩ又は特定のＲＮＴＩを有する第８ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペース又は特定のサーチスペースを有する第９ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペースタイプ又は特定のサーチスペースタイプを有する第１０ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記ＰＤＣＣＨと同じ制御リソースセットＣＯＲＥＳＥＴ又は特定のＣＯＲＥＳＥＴを有する第１１ＰＤＣＣＨをモニターすることを指示することと、のうち少なくとも１つを含み、
Ｎは１以上の整数である、請求項１３に記載の方法。。
【請求項１９】
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じＤＣＩフォーマット又は特定のＤＣＩフォーマットを有する第７ＰＤＣＣＨをモニターすることを指示することは、
前記第１ＰＤＣＣＨの第１ＤＣＩフォーマット又は第２ＤＣＩフォーマットのＤＣＩにおける１つ又は複数のビットは、前記ＵＥが、後続のＮ個のスロットの後の最初のスロットにおいて、第１ＤＣＩフォーマット又は第２ＤＣＩフォーマットを有する第７ＰＤＣＣＨをモニターすることを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットの後の最初のスロットにおいて、第１ＤＣＩフォーマット又は第３ＤＣＩフォーマットを有する第７ＰＤＣＣＨをモニターすることを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットの後の最初のスロットにおいて、第２ＤＣＩフォーマット又は第４ＤＣＩフォーマットを有する第７ＰＤＣＣＨをモニターすることを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットの後の最初のスロットにおいて、第１ＤＣＩフォーマット又は第３ＤＣＩフォーマットを有する第７ＰＤＣＣＨをモニターすることを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットの後の最初のスロットにおいて、第２ＤＣＩフォーマット又は第４ＤＣＩフォーマットを有する第７ＰＤＣＣＨをモニターすることを指示することと、
前記第１ＰＤＣＣＨの第１ＤＣＩフォーマット、第２ＤＣＩフォーマット、第３ＤＣＩフォーマット、又は第４ＤＣＩフォーマットのＤＣＩにおける１つ又は複数のビットは、前記ＵＥが、後続のＮ個のスロットの後の最初のスロットにおいて、第１ＤＣＩフォーマット、第２ＤＣＩフォーマット、第３ＤＣＩフォーマット、又は第４ＤＣＩフォーマットを有する第７ＰＤＣＣＨをモニターすることを指示することと、
前記第１ＰＤＣＣＨの第５ＤＣＩフォーマットのＤＣＩにおける１つ又は複数のビットは、前記ＵＥが、後続のＮ個のスロットの後の最初のスロットにおいて、第５ＤＣＩフォーマットを有する第７ＰＤＣＣＨをモニターすることを指示することと、のうち少なくとも１つを含み、
前記第１ＤＣＩフォーマットは、１つのセルの物理上りリンク共有チャネルをスケジューリングするために用いられ、
前記第２ＤＣＩフォーマットは、１つのセルの物理下りリンク共有チャネルをスケジューリングするために用いられ、
前記第３ＤＣＩフォーマットは、１つのセルの物理上りリンク共有チャネルをスケジューリングするために用いられ、
前記第４ＤＣＩフォーマットは、１つのセルの物理下りリンク共有チャネルをスケジューリングするために用いられ、
前記第５ＤＣＩフォーマットは、１グループのＵＥのスロットフォーマットを通知するために用いられる、請求項１８に記載の方法。
【請求項２０】
前記後続のＮ個のスロットの後の前記最初のスロットは、ネットワーク側によって設定されたモニタリング周期とオフセットを満たす後続のＮ個のスロットの後の、ネットワーク側によって設定されたモニタリング周期とオフセットを満たす最初のスロット、又は、ネットワーク側によって設定されたモニタリング周期とオフセットを満たす後続のＮ個のスロットの後の、ネットワーク側によって設定されたモニタリング周期とオフセットを満たす最初の下りリンクスロットを指す、請求項１８に記載の方法。
【請求項２１】
前記ＤＣＩは既存のＤＣＩフォーマットを再利用する、又は前記ＤＣＩは新しいＤＣＩフォーマットである、請求項１３に記載の方法。
【請求項２２】
前記第１ＰＤＣＣＨのＤＣＩにおける１つ又は複数のビットは、モニターされるＰＤＣＣＨを指示することは、
前記第１ＰＤＣＣＨのＤＣＩにおける１つ又は複数のビットが指示する意味は、前記ＵＥがＰＤＣＣＨをモニターするデフォルトモニタリング動作を含むことを含む、請求項１３に記載の方法。
【請求項２３】
前記デフォルトモニタリング動作は、前記ＵＥが、ネットワーク側によって設定されたモニタリング周期及びオフセットに合致する次のスロット又は下りリンクスロットにおいてＰＤＣＣＨをモニターすることを少なくとも含む、請求項２２に記載の方法。
【請求項２４】
前記第１ＰＤＣＣＨのＤＣＩにおける１つ又は複数のビットは、前記ＵＥが、後続のＮ個のスロットにおいて、前記第１ＰＤＣＣＨと同じサーチスペースタイプ又は特定のサーチスペースタイプを有する第５ＰＤＣＣＨをモニターしないことを指示することは、
第１共通サーチスペースタイプに属する前記第１ＰＤＣＣＨのＤＣＩにおける１つ又は複数のビットは、前記ＵＥが、後続のＮ個のスロットにおいて、第１共通サーチスペースタイプを有する第５ＰＤＣＣＨをモニターしないことを指示することと、
第２共通サーチスペースタイプに属する前記第１ＰＤＣＣＨのＤＣＩにおける１つ又は複数のビットは、前記ＵＥが、後続のＮ個のスロットにおいて、第２の共通サーチスペースタイプを有する第５ＰＤＣＣＨをモニターしないことを指示することと、
第３共通サーチスペースタイプに属する前記第１ＰＤＣＣＨのＤＣＩにおける１つ又は複数のビットは、前記ＵＥが、後続のＮ個のスロットにおいて、第３共通サーチスペースタイプを有する第５ＰＤＣＣＨをモニターしないことを指示することと、
第４共通サーチスペースタイプに属する前記第１ＰＤＣＣＨのＤＣＩにおける１つ又は複数のビットは、前記ＵＥが、後続のＮ個のスロットにおいて、第４の共通サーチスペースタイプを有する第５のＰＤＣＣＨをモニターしないことを指示することと、
ＵＥ個別サーチスペースに属する前記第１ＰＤＣＣＨのＤＣＩにおける１つ又は複数のビットは、前記ＵＥが、後続のＮ個のスロットにおいてＵＥ個別サーチスペースを有する第５ＰＤＣＣＨをモニターしないことを指示することと、
第１サーチスペースタイプに属する前記第１ＰＤＣＣＨのＤＣＩにおける１つ又は複数のビットは、前記ＵＥが、後続のＮ個のスロットにおいて、第２サーチスペースタイプを有する第５ＰＤＣＣＨをモニターしないことを指示することと、のうち少なくとも１つを含む、請求項１３に記載の方法。
【請求項２５】
ユーザ機器ＵＥにモニターされた第１物理下りリンク制御チャネルＰＤＣＣＨの下り制御情報ＤＣＩにおける１つ又は複数のビットを取得するための取得モジュールと、
前記第１ＰＤＣＣＨのＤＣＩにおける１つ又は複数のビットに基づいて、モニターされないＰＤＣＣＨ及び／又はモニターされるＰＤＣＣＨを決定するための決定モジュールとを備え、
前記第１ＰＤＣＣＨのＤＣＩにおける１つ又は複数のビットはモニターされないＰＤＣＣＨ及び／又はモニターされるＰＤＣＣＨを指示する、ユーザ機器。
【請求項２６】
第１物理下りリンク制御チャネルＰＤＣＣＨの下り制御情報ＤＣＩにおける１つ又は複数のビットを設定するための設定モジュールを備え、
前記第１ＰＤＣＣＨのＤＣＩにおける１つ又は複数のビットは、ユーザ機器ＵＥにモニターされないＰＤＣＣＨ及び／又はモニターされるＰＤＣＣＨを指示する、ネットワーク側機器。
【請求項２７】
プロセッサと、メモリと、前記メモリに記憶され、前記プロセッサ上で実行可能なコンピュータプログラムとを備え、前記コンピュータプログラムは前記プロセッサによって実行されると、請求項１〜１２のいずれか一項に記載の物理下りリンク制御チャネルＰＤＣＣＨのモニタリング方法のステップを実現する、ユーザ機器。
【請求項２８】
プロセッサと、メモリと、前記メモリに記憶され、前記プロセッサ上で実行可能なコンピュータプログラムとを備え、前記コンピュータプログラムは前記プロセッサによって実行されると、請求項１３〜２４のいずれか一項に記載の物理下りリンク制御チャネルＰＤＣＣＨの設定方法のステップを実現する、ネットワーク側機器。
【請求項２９】
プロセッサによって実行されると、請求項１〜１２のいずれか一項に記載の物理下りリンク制御チャネルＰＤＣＣＨのモニタリング方法のステップ、又は請求項１３〜２４のいずれか一項に記載の物理下りリンク制御チャネルＰＤＣＣＨの設定方法のステップを実現するコンピュータプログラムを記憶したコンピュータ可読記憶媒体。
【発明の詳細な説明】
【技術分野】
【０００１】
関連出願の相互参照
本出願は、2018年04月13日に中国に出願された中国特許出願第201810333779.7号の優先権を主張し、その内容の全てが参照によって本出願に取り込まれる。
【０００２】
本開示の実施例は、通信技術の分野に関し、特に、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）のモニタリング方法、ユーザ機器及びネットワーク側機器に関する。
【背景技術】
【０００３】
現在、ロング・ターム・エヴォリューション（Ｌｏｎｇ  Ｔｅｒｍ  Ｅｖｏｌｕｔｉｏｎ、ＬＴＥ）及び第５世代移動通信（ｆｉｆｔｈ−ｇｅｎｅｒａｔｉｏｎ、５Ｇ）の新無線（Ｎｅｗ  Ｒａｄｉｏ、ＮＲ）技術において、ユーザ機器（Ｕｓｅｒ  Ｅｑｕｉｐｍｅｎｔ、ＵＥ）は、一般的に、サブフレーム又はスロット（ｓｌｏｔ）毎にＰＤＣＣＨブラインド検出を行う。ＵＥが、該ＵＥに属するＰＤＣＣＨを受信した場合、該ＵＥは、該ＰＤＣＣＨにより指示される時間周波数リソースで下りリンクデータを受信し、又は上りリンクデータを送信する。ＵＥが、該ＵＥに属するＰＤＣＣＨを受信していない場合、該ＵＥは、次のサブフレーム又はスロットにおいて、或いは基地局によって設定されたＰＤＣＣＨのモニタリング周期とオフセットに合致するサブフレーム又はスロットにおいてＰＤＣＣＨブラインド検出を継続する。
【０００４】
ウィーチャット（ＷｅＣｈａｔ）やウェブブラウジングなど多くの人気のあるサービスのトラフィックパケットの到着時間にランダム性又は不均一性があるため、実際のネットワークでは、ＵＥがアクティブ状態でＰＤＣＣＨを継続的にモニターしている場合、すべてのサブフレーム又はスロットで、該ＵＥをスケジューリングするＰＤＣＣＨを受信できるとは限らない。該ＵＥをスケジューリングするＰＤＣＣＨのないスロット又はサブフレームについて、これらのサブフレーム又はスロットにおいてＰＤＣＣＨをブラインド検出するＵＥの動作は、ＵＥの電力消費を増加させる。上記問題点は、早急に解決されるべきである。
【発明の概要】
【発明が解決しようとする課題】
【０００５】
本開示の実施形態の１つの目的は、物理下りリンク制御チャネルのモニタリング方法、ユーザ機器、及びネットワーク側機器を提供し、ＵＥによる不必要なＰＤＣＣＨモニタリングに起因するＵＥ電力消費の問題を解決することである。
【課題を解決するための手段】
【０００６】
第１態様では、ＵＥにおけるＰＤＣＣＨのモニタリング方法であって、前記ＵＥにモニターされた第１ＰＤＣＣＨの下りリンク制御情報ＤＣＩにおける１つ又は複数のビットを取得するステップと、前記第１ＰＤＣＣＨのＤＣＩにおける１つ又は複数のビットに基づいて、モニターされないＰＤＣＣＨ及び／又はモニターされるＰＤＣＣＨを決定するステップとを含み、前記第１ＰＤＣＣＨのＤＣＩにおける１つ又は複数のビットは、モニターされないＰＤＣＣＨ及び／又はモニターされるＰＤＣＣＨを指示する、方法が提供される。
【０００７】
第２態様では、ネットワーク側機器におけるＰＤＣＣＨの設定方法であって、第１ＰＤＣＣＨのＤＣＩにおける１つ又は複数のビットを設定するステップを含み、前記第１ＰＤＣＣＨのＤＣＩにおける１つ又は複数のビットは、ＵＥにモニターされないＰＤＣＣＨ及び／又はモニターされるＰＤＣＣＨを指示する、方法が提供される。
【０００８】
第３態様では、ユーザ機器であって、前記ＵＥにモニターされた第１ＰＤＣＣＨのＤＣＩにおける１つ又は複数のビットを取得するための取得モジュールと、前記第１ＰＤＣＣＨのＤＣＩにおける１つ又は複数のビットに基づいて、モニターされないＰＤＣＣＨ及び／又はモニターされるＰＤＣＣＨを決定するための決定モジュールとを備え、前記第１ＰＤＣＣＨのＤＣＩにおける１つ又は複数のビットはモニターされないＰＤＣＣＨ及び／又はモニターされるＰＤＣＣＨを指示する、ユーザ機器が提供される。
【０００９】
第４態様では、ネットワーク側機器であって、第１ＰＤＣＣＨのＤＣＩにおける１つ又は複数のビットを設定するための設定モジュールを備え、前記第１ＰＤＣＣＨのＤＣＩにおける１つ又は複数のビットは、ＵＥにモニターされないＰＤＣＣＨ及び／又はモニターされるＰＤＣＣＨを指示する、ネットワーク側機器が提供される。
【００１０】
第５態様では、プロセッサと、メモリと、前記メモリに記憶され、前記プロセッサ上で実行可能なコンピュータプログラムとを備え、前記コンピュータプログラムは前記プロセッサによって実行されると、第１態様による物理下りリンク制御チャネルＰＤＣＣＨのモニタリング方法のステップを実現する、ユーザ機器が提供される。
【００１１】
第６態様では、プロセッサと、メモリと、前記メモリに記憶され、前記プロセッサ上で実行可能なコンピュータプログラムとを備え、前記コンピュータプログラムは前記プロセッサによって実行されると、第２態様による物理下りリンク制御チャネルＰＤＣＣＨの設定方法のステップを実現する、ネットワーク側機器がさらに提供される。
【００１２】
第７態様では、プロセッサによって実行されると、第１態様による物理下りリンク制御チャネルＰＤＣＣＨのモニタリング方法のステップ、又は第２態様による物理下りリンク制御チャネルＰＤＣＣＨの設定方法のステップを実現するコンピュータプログラムを記憶したコンピュータ可読記憶媒体がさらに提供する。
【００１３】
本開示の実施形態では、ＵＥによる不必要なＰＤＣＣＨモニタリングを回避し、それにより、ＵＥの電力消費を低減することができる。
【００１４】
以下の好ましい実施形態の詳細な説明を読むことにより、他の様々な利点及び利益が当業者にとって明らかになる。図面は、好ましい実施形態を説明するためのものに過ぎず、本開示に対する限定とみなされない。なお、図面全体において、同じ符号は同じ部材を表示する。
【図面の簡単な説明】
【００１５】
【図１】本開示の実施例によって提供される無線通信システムのアーキテクチャの概略図である。
【図２】本開示の実施例によって提供される物理下りリンク制御チャネルのモニタリング方法のフローチャートである。
【図３】本開示の実施例によって提供される物理下りリンク制御チャネルの設定方法のフローチャートである。
【図４】本開示の実施例によって提供されるユーザ機器の第一の概略構造図である。
【図５】本開示の実施例によって提供されるネットワーク側機器の第一の概略構造図である。
【図６】本開示の実施例によって提供されるユーザ機器の第二の概略構造図であるである。
【図７】本開示の実施例によって提供されるネットワーク側機器の第二の概略構造図である。
【発明を実施するための形態】
【００１６】
以下、本開示の実施例における図面を参照して、本開示の実施例における技術案を明確かつ完全に説明する。明らかに、説明される実施例は、本開示の一部の実施例であり、全ての実施例ではない。本開示の実施例に基づいて、当業者が創造的な労働をせずに取得した他のすべての実施例は、いずれも本開示の保護範囲内に入る。
【００１７】
本出願の明細書及び特許請求の範囲における用語「含む」及びそのあらゆる変形は、非排他的包含をカバーすることが意図され、例えば、一連のステップ又はユニットを含むプロセス、方法、システム、物品又は機器は、明示的に列挙されたステップ又はユニットに限定される必要はなく、明示的に列挙されていない又はそのようなプロセス、方法、物品又は機器に固有する他のステップ又はユニットを含んでもよい。さらに、明細書及び特許請求の範囲における「及び／又は」は、その接続する対象のうち少なくとも１つを意味し、例えば、「Ａ及び／又はＢ」は、「Ａのみ」、「Ｂのみ」、及び「ＡとＢの両方」との３つの形態を含むことを意味する。
【００１８】
本開示の実施例において、「例示的には」又は「例えば」などの用語は、例、例証又は説明を示すためのものである。本開示の実施例では、「例示的には」又は「例えば」と説明されるいかなる実施例又は設計案は、他の実施例又は設計案より好適である又は優位性があると解釈されるべきではない。正確的には、「例示的には」又は「例えば」などの語の使用は、具体案で関連概念を呈することを目的とする。
【００１９】
以下、図面を参照して本開示の実施例について説明する。本開示の実施例によって提供される物理下りリンク制御チャネルのモニタリング方法、ユーザ機器、及びネットワーク側機器は、無線通信システムに適用することができる。該無線通信システムは、５Ｇシステム、又は、拡張ロングタームエボリューション（Ｅｖｏｌｖｅｄ  Ｌｏｎｇ  Ｔｅｒｍ  Ｅｖｏｌｕｔｉｏｎ、ｅＬＴＥ  ）システム、もしくは、後続の進化した（ｅｖｏｌｖｅｄ）通信システムを採用することができる。
【００２０】
図１は、本開示の実施例によって提供される無線通信システムのアーキテクチャの概略図である。図１に示すように、該無線通信システムは、ネットワーク側機器１０とユーザ機器とを含み、例えば、ユーザ機器はＵＥ１１と表記され、該ＵＥ１１はネットワーク側機器１０に接続することができる。実際の応用では、上記各機器間の接続は無線接続であってもよいが、各機器間の接続関係を簡便かつ直感的に示すために、図１では実線で示している。
【００２１】
なお、上記通信システムは、複数のＵＥを含むことができ、ネットワーク側機器は複数のＵＥと通信（シグナリング送信又はデータ送信）することができる。
【００２２】
本開示の実施例によって提供されるネットワーク側機器１０は、基地局であってもよく、該基地局は、通常の基地局であってもよく、進化型基地局（ｅｖｏｌｖｅｄ  ｎｏｄｅ  ｂａｓｅ  ｓｔａｔｉｏｎ、ｅＮＢ）であってもよく、５Ｇシステムにおけるネットワーク側機器（例えば、次世代ノード基地局ｎｅｘｔ  ｇｅｎｅｒａｔｉｏｎ  ｎｏｄｅ  ｂａｓｅ  ｓｔａｔｉｏｎ、ｇＮＢ）や送受信ポイント（Ｔｒａｎｓｍｉｓｓｉｏｎ  Ａｎｄ  Ｒｅｃｅｐｔｉｏｎ  Ｐｏｉｎｔ、ＴＲＰ）やセル（ｃｅｌｌ）などの機器であってもよい。
【００２３】
本開示の実施例によって提供されるユーザ機器は、携帯電話、タブレットコンピュータ、ノートブックコンピュータ、ウルトラモバイルパーソナルコンピュータ（Ｕｌｔｒａ−Ｍｏｂｉｌｅ  Ｐｅｒｓｏｎａｌ  Ｃｏｍｐｕｔｅｒ、ＵＭＰＣ）、ネットブック、又はパーソナルデジタルアシスタント（Ｐｅｒｓｏｎａｌ  Ｄｉｇｉｔａｌ  Ａｓｓｉｓｔａｎｔ、ＰＤＡ）等であってもよい。
【００２４】
なお、ここでのスロットは、例えば、１４個の時間領域シンボルからなる通常のスロットであってもよいし、１４個未満の時間領域シンボル、例えば、２個、４個、又は７個の時間領域シンボルからなるミニスロットであってもよい。
【００２５】
もちろん、本開示におけるスロットは、送信時間間隔（Ｔｒａｎｓｍｉｓｓｉｏｎ  Ｔｉｍｅ  Ｉｎｔｅｒｖａｌ、ＴＴＩ）、サブフレーム（ｓｕｂｆｒａｍｅ）、時間領域スケジューリング粒度などであってもよい。
【００２６】
図２は本開示の実施例によって提供されるＰＤＣＣＨのモニタリング方法のフローチャートを示しており、該方法は、ＵＥを実行主体とし、具体的なステップは、
該ＵＥによってモニターされた第１ＰＤＣＣＨの下りリンク制御情報（Ｄｏｗｎｌｉｎｋ  Ｃｏｎｔｒｏｌ  Ｉｎｆｏｒｍａｔｉｏｎ、ＤＣＩ）における１つ又は複数のビット（ｂｉｔ）を取得し、該第１ＰＤＣＣＨのＤＣＩにおける１つ又は複数のビットは、モニターされないＰＤＣＣＨ及び／又はモニターされるＰＤＣＣＨを指示するステップ２０１と、
該第１ＰＤＣＣＨのＤＣＩにおける１つ又は複数のビットに基づいて、モニターされないＰＤＣＣＨ及び／又はモニターされるＰＤＣＣＨを決定するステップ２０２とを含む。
本開示の実施例において、図２に示す方法は、ネットワーク側（例えば、基地局）から送信された指示情報を受信するステップをさらに含み、前記指示情報は、ＵＥが第１ＰＤＣＣＨをモニターすること、又はネットワーク側が前記ＵＥに前記第１ＰＤＣＣＨを設定することを指示するために用いられ、又は、前記指示情報は、前記ＵＥが第１ＰＤＣＣＨをモニターしないこと、又はネットワーク側が前記ＵＥに前記第１ＰＤＣＣＨを設定していないことを指示するために用いられる。
【００２７】
本開示の実施例において、任意選択的に、第１ＰＤＣＣＨの（によって送信される）ＤＣＩにおける１つ又は複数のビットは、モニターされないＰＤＣＣＨを指示し、指示方法は、方法１から方法５の少なくとも１つを含む。
【００２８】
方法１：第１ＰＤＣＣＨのＤＣＩにおける１つ又は複数のビットは、ＵＥが、後続のＮ個のスロットにおいて、第１ＰＤＣＣＨと同じＤＣＩフォーマット（ＤＣＩ  ｆｏｒｍａｔ）又は特定のＤＣＩフォーマットを有する第２ＰＤＣＣＨをモニターしないことを指示し、ここで、特定のＤＣＩフォーマットは、ある１種のＤＣＩフォーマット又は幾つかのＤＣＩフォーマットであってもよく、Ｎは１以上の整数であり、かつ、Ｎはネットワーク側によって設定され、又は予め定義される。
なお、第１ＰＤＣＣＨをモニターしたスロットは、現在スロットと呼ぶことができ、該現在スロットの後のスロットが後続のスロットに相当する。
【００２９】
方法２：第１ＰＤＣＣＨのＤＣＩにおける１つ又は複数のビットは、ＵＥが、後続のＮ個のスロットにおいて、第１ＰＤＣＣＨと同じ無線ネットワーク一時的識別子（Ｒａｄｉｏ  Ｎｅｔｗｏｒｋ  Ｔｅｍｐｏｒａｒｙ  Ｉｄｅｎｔｉｔｙ、ＲＮＴＩ）又は特定のＲＮＴＩを有する第３ＰＤＣＣＨをモニターしないことを指示し、ここで、特定のＲＮＴＩは、ある１種のＲＮＴＩ又は幾つかのＲＮＴＩであってもよく、Ｎは１以上の整数であり、かつ、Ｎはネットワーク側によって設定され、又は予め定義される。
【００３０】
方法３：第１ＰＤＣＣＨのＤＣＩにおける１つ又は複数のビットは、ＵＥが、後続のＮ個のスロットにおいて、第１ＰＤＣＣＨと同じサーチスペース（Ｓｅａｒｃｈ  Ｓｐａｃｅ、ＳＳ）又は特定のサーチスペースを有する第４ＰＤＣＣＨをモニターしないことを指示し、ここで、特定のサーチスペースは、ある１種のサーチスペース又は幾つかのサーチスペースであってもよく、Ｎは１以上の整数であり、かつ、Ｎはネットワーク側によって設定され、又は予め定義される。
【００３１】
方法４：第１ＰＤＣＣＨのＤＣＩにおける１つ又は複数のビットは、ＵＥが、後続のＮ個のスロットにおいて、第１ＰＤＣＣＨと同じサーチスペースタイプ又は特定のサーチスペースタイプを有する第５ＰＤＣＣＨをモニターしないことを指示し、ここで、特定のサーチスペースタイプは、ある１種のサーチスペースタイプ又は幾つかのサーチスペースタイプであってもよく、Ｎは１以上の整数であり、かつ、Ｎはネットワーク側によって設定され、又は予め定義される。
【００３２】
方法５：第１ＰＤＣＣＨのＤＣＩにおける１つ又は複数のビットは、ＵＥが、後続のＮ個のスロットにおいて、前記ＰＤＣＣＨと同じ制御リソースセット（Ｃｏｎｔｒｏｌ−Ｒｅｓｏｕｒｃｅ  Ｓｅｔ、ＣＯＲＥＳＥＴ）又は特定のＣＯＲＥＳＥＴを有する第６ＰＤＣＣＨをモニターしないことを指示し、ここで、特定のＣＯＲＥＳＥＴは、ある１種のＣＯＲＥＳＥＴ又は幾つかのＣＯＲＥＳＥＴであってもよく、Ｎは１以上の整数であり、かつ、Ｎはネットワーク側によって設定され、又は予め定義される。
【００３３】
上記方法１において、第１ＰＤＣＣＨのＤＣＩにおける１つ又は複数のビットは、ＵＥが、後続のＮ個のスロットにおいて、第１ＰＤＣＣＨと同じＤＣＩフォーマット又は特定のＤＣＩフォーマットを有する第２ＰＤＣＣＨをモニターしないことを指示することは、以下の（ａ）〜（ｇ）のうち少なくとも１つを含む。
【００３４】
（ａ）第１ＰＤＣＣＨの第１ＤＣＩフォーマット又は第２ＤＣＩフォーマットのＤＣＩにおける１つ又は複数のビットは、ＵＥが、後続のＮ個のスロットにおいて、第１ＤＣＩフォーマット又は第２ＤＣＩフォーマットを有する第２ＰＤＣＣＨをモニターしないことを指示する。ここで、第１ＤＣＩフォーマットは、１つのセルの物理上りリンク共有チャネルをスケジューリングするために用いられ、該第１ＤＣＩフォーマットは、ＤＣＩ  ｆｏｒｍａｔ０＿０であり、第２ＤＣＩフォーマットは、１つのセルの物理下りリンク共有チャネルをスケジューリングするために用いられ、該第２ＤＣＩフォーマットは、ＤＣＩ  ｆｏｒｍａｔ１＿０であり、すなわち、ＤＣＩ  ｆｏｒｍａｔ０＿０及びＤＣＩ  ｆｏｒｍａｔ１＿０のうち少なくとも１つをモニターしない。
【００３５】
（ｂ）第１ＰＤＣＣＨの第１ＤＣＩフォーマット又は第３ＤＣＩフォーマットのＤＣＩにおける１つ又は複数のビットは、ＵＥが、後続のＮ個のスロットにおいて、第１ＤＣＩフォーマット又は第３ＤＣＩフォーマットを有する第２ＰＤＣＣＨをモニターしないことを指示する。ここで、第１ＤＣＩフォーマットは、１つのセルの物理上りリンク共有チャネルをスケジューリングするために用いられ、該第１ＤＣＩフォーマットは、ＤＣＩ  ｆｏｒｍａｔ０＿０であり、前記第３ＤＣＩフォーマットは、１つのセルの物理上りリンク共有チャネルをスケジューリングするために用いられ、該第３ＤＣＩフォーマットは、ＤＣＩ  ｆｏｒｍａｔ０＿１であり、即ち、上りリンクスケジューリングＤＣＩは、ＵＥが後続のＮ個の上りリンクスケジューリングＤＣＩをモニターしないことを指示する。
【００３６】
（ｃ）第１ＰＤＣＣＨの第２ＤＣＩフォーマット又は第４ＤＣＩフォーマットのＤＣＩにおける１つ又は複数のビットは、ＵＥが、後続のＮ個のスロットにおいて、第２ＤＣＩフォーマット又は第４ＤＣＩフォーマットを有する第２ＰＤＣＣＨをモニターしないことを指示する。ここで、第２ＤＣＩフォーマットは、１つのセルの物理下りリンク共有チャネルをスケジューリングするために用いられ、該第２ＤＣＩフォーマットは、ＤＣＩ  ｆｏｒｍａｔ１＿０であり、第４ＤＣＩフォーマットは、１つのセルの物理下りリンク共有チャネルをスケジューリングするために用いられ、該第４ＤＣＩフォーマットは、ＤＣＩ  ｆｏｒｍａｔ１＿１であり、即ち、下りリンクスケジューリングＤＣＩは、ＵＥが後続のＮ個の下りリンクスケジューリングＤＣＩをモニターしないことを指示する。
【００３７】
（ｄ）第１ＰＤＣＣＨの第２ＤＣＩフォーマット又は第４ＤＣＩフォーマットのＤＣＩにおける１つ又は複数のビットは、ＵＥが、後続のＮ個のスロットにおいて、第１ＤＣＩフォーマット又は第３ＤＣＩフォーマットを有する第２ＰＤＣＣＨをモニターしないことを指示する。ここで、第２ＤＣＩフォーマットは、１つのセルの物理下りリンク共有チャネルをスケジューリングするために用いられ、該第２ＤＣＩフォーマットは、ＤＣＩ  ｆｏｒｍａｔ１＿０であり、第４ＤＣＩフォーマットは、１つのセルの物理下りリンク共有チャネルをスケジューリングするために用いられ、該第４ＤＣＩフォーマットは、ＤＣＩ  ｆｏｒｍａｔ１＿１であり、すなわち、下りリンクスケジューリングＤＣＩは、ＵＥが後続のＮ個の上りリンクスケジューリングＤＣＩをモニターしないことを指示する。
【００３８】
（ｅ）第１ＰＤＣＣＨの第１ＤＣＩフォーマット又は第３ＤＣＩフォーマットのＤＣＩにおける１つ又は複数のビットは、ＵＥが、後続のＮ個のスロットにおいて、第２ＤＣＩフォーマット又は第４ＤＣＩフォーマットを有する第２ＰＤＣＣＨをモニターしないことを指示する。ここで、第１ＤＣＩフォーマットは、１つのセルの物理上りリンク共有チャネルをスケジューリングするために用いられ、該第１ＤＣＩフォーマットは、ＤＣＩ  ｆｏｒｍａｔ０＿０であり、第２ＤＣＩフォーマットは、１つのセルの物理下りリンク共有チャネルをスケジューリングするために用いられ、該第２ＤＣＩフォーマットは、ＤＣＩ  ｆｏｒｍａｔ１＿０であり、第３ＤＣＩフォーマットは、１つのセルの物理上りリンク共有チャネルをスケジューリングするために用いられ、該第３ＤＣＩフォーマットは、ＤＣＩ  ｆｏｒｍａｔ０＿１であり、第４ＤＣＩフォーマットは、１つのセルの物理下りリンク共有チャネルをスケジューリングするために用いられ、該第４ＤＣＩフォーマットは、ＤＣＩ  ｆｏｒｍａｔ１＿１であり、即ち、上りリンクスケジューリングＤＣＩは、ＵＥが後続のＮ個の下りリンクスケジューリングＤＣＩをモニターしないことを指示する。
【００３９】
（ｆ）第１ＰＤＣＣＨの第１ＤＣＩフォーマット、第２ＤＣＩフォーマット、第３ＤＣＩフォーマット、又は第４ＤＣＩフォーマットのＤＣＩにおける１つ又は複数のビットは、ＵＥが、後続のＮ個のスロットにおいて、第１ＤＣＩフォーマット、第２ＤＣＩフォーマット、第３ＤＣＩフォーマット、又は第４ＤＣＩフォーマットを有する第２ＰＤＣＣＨをモニターしないことを指示する。ここで、第１ＤＣＩフォーマットは１つのセルの物理上りリンク共有チャネルをスケジューリングするために用いられ、該第１ＤＣＩフォーマットはＤＣＩ  ｆｏｒｍａｔ０＿０であり、第２ＤＣＩフォーマットは１つのセルの物理下りリンク共有チャネルをスケジューリングするために用いられ、該第２ＤＣＩフォーマットはＤＣＩ  ｆｏｒｍａｔ１＿０であり、第３ＤＣＩフォーマットは１つのセルの物理上りリンク共有チャネルをスケジューリングするために用いられ、該第３ＤＣＩフォーマットはＤＣＩ  ｆｏｒｍａｔ０＿１であり、該第４ＤＣＩフォーマットは１つのセルの物理下りリンク共有チャネルをスケジューリングするために用いられ、該第４ＤＣＩフォーマットはＤＣＩ  ｆｏｒｍａｔ１＿１であり、すなわち、いずれか１つのデータスケジューリングＤＣＩは、ＵＥが後続のＮ個のデータスケジューリングＤＣＩをモニターしないことを指示する。
【００４０】
（ｇ）第１ＰＤＣＣＨの第５ＤＣＩフォーマットのＤＣＩにおける１つ又は複数のビットは、ＵＥが、後続のＮ個のスロットにおいて、第５ＤＣＩフォーマットを有する第２ＰＤＣＣＨをモニターしないことを指示する。ここで、第５ＤＣＩフォーマットは、１グループのＵＥのスロットフォーマットを通知するために用いられ、該第５ＤＣＩフォーマットは、ＤＣＩ  ｆｏｒｍａｔ２＿０であり、具体的に、スロットフォーマットインディケーション（ｓｌｏｔ  ｆｏｒｍａｔ  ｉｎｄｉｃａｔｉｏｎ、ＳＦＩ）ＤＣＩは、ＵＥが後続のＮ個のＳＦＩ  ＤＣＩをモニターしないことを指示し、すなわち、ＵＥは、該Ｎ個のＳＦＩ  ＤＣＩの位置するスロットのＳＦＩが、いずれも最初のＳＦＩ  ＤＣＩに従って指示されると想定する。
【００４１】
本開示の実施例において、任意選択的に、後続のＮ個のスロットは、ネットワーク側によって設定されたモニタリング周期とオフセットを満たす後続のＮ個のスロット、又はネットワーク側によって設定されたモニタリング周期とオフセットを満たす後続のＮ個の下りリンクスロットを指す。
【００４２】
本開示の実施例において、任意選択的に、前記第１ＰＤＣＣＨのＤＣＩにおける１つ又は複数のビットは、モニターされるＰＤＣＣＨを指示することは、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じＤＣＩフォーマット又は特定のＤＣＩフォーマットを有する第７ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じ無線ネットワーク一時的識別子ＲＮＴＩ又は特定のＲＮＴＩを有する第８ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペース又は特定のサーチスペースを有する第９ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペースタイプ又は特定のサーチスペースタイプを有する第１０ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記ＰＤＣＣＨと同じ制御リソースセットＣＯＲＥＳＥＴ又は特定のＣＯＲＥＳＥＴを有する第１１ＰＤＣＣＨをモニターすることを指示することと、のうち少なくとも１つを含み、
ここで、Ｎは１以上の整数である。
【００４３】
本開示の実施例において、前記第１ＰＤＣＣＨのＤＣＩにおける１つ又は複数のビットは、前記ＵＥが、後続のＮ個のスロットの後の最初のスロットにおいて、前記第１ＰＤＣＣＨと同じＤＣＩフォーマット又は特定のＤＣＩフォーマットを有する第７ＰＤＣＣＨをモニターすることを指示することは、
前記第１ＰＤＣＣＨの第１ＤＣＩフォーマット又は第２ＤＣＩフォーマットのＤＣＩにおける１つ又は複数のビットは、前記ＵＥが、後続のＮ個のスロットの後の最初のスロットにおいて、第１ＤＣＩフォーマット又は第２ＤＣＩフォーマットを有する第７ＰＤＣＣＨをモニターすることを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットの後の最初のスロットにおいて、第１ＤＣＩフォーマット又は第３ＤＣＩフォーマットを有する第７ＰＤＣＣＨをモニターすることを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットの後の最初のスロットにおいて、第２ＤＣＩフォーマット又は第４ＤＣＩフォーマットを有する第７ＰＤＣＣＨをモニターすることを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットの後の最初のスロットにおいて、第１ＤＣＩフォーマット又は第３ＤＣＩフォーマットを有する第７ＰＤＣＣＨをモニターすることを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットの後の最初のスロットにおいて、第２ＤＣＩフォーマット又は第４ＤＣＩフォーマットを有する第７ＰＤＣＣＨをモニターすることを指示することと、
前記第１ＰＤＣＣＨの第１ＤＣＩフォーマット、第２ＤＣＩフォーマット、第３ＤＣＩフォーマット、又は第４ＤＣＩフォーマットのＤＣＩにおける１つ又は複数のビットは、前記ＵＥが、後続のＮ個のスロットの後の最初のスロットにおいて、第１ＤＣＩフォーマット、第２ＤＣＩフォーマット、第３ＤＣＩフォーマット、又は第４ＤＣＩフォーマットを有する第７ＰＤＣＣＨをモニターすることを指示することと、
前記第１ＰＤＣＣＨの第５ＤＣＩフォーマットのＤＣＩにおける１つ又は複数のビットは、前記ＵＥが、後続のＮ個のスロットの後の最初のスロットにおいて、第５ＤＣＩフォーマットを有する第７ＰＤＣＣＨをモニターすることを指示することと、のうち少なくとも１つを含み、
前記第１ＤＣＩフォーマットは、１つのセルの物理上りリンク共有チャネルをスケジューリングするために用いられ、該第１ＤＣＩフォーマットはＤＣＩ  ｆｏｒｍａｔ０＿０であり、
前記第２ＤＣＩフォーマットは、１つのセルの物理下りリンク共有チャネルをスケジューリングするために用いられ、該第２ＤＣＩフォーマットはＤＣＩ  ｆｏｒｍａｔ１＿０であり、
前記第３ＤＣＩフォーマットは、１つのセルの物理上りリンク共有チャネルをスケジューリングするために用いられ、該第３ＤＣＩフォーマットはＤＣＩ  ｆｏｒｍａｔ０＿１であり、
前記第４ＤＣＩフォーマットは、１つのセルの物理下りリンク共有チャネルをスケジューリングするために用いられ、該第４ＤＣＩフォーマットはＤＣＩ  ｆｏｒｍａｔ１＿１であり、
前記第５ＤＣＩフォーマットは、１グループのＵＥのスロットフォーマットを通知するために用いられ、該第５ＤＣＩフォーマットは、ＤＣＩ  ｆｏｒｍａｔ２＿０である。
【００４４】
本開示の実施例において、任意選択的に、後続のＮ個のスロットの後の最初のスロットは、ネットワーク側によって設定されたモニタリング周期とオフセットを満たす後続のＮ個のスロットの後の、ネットワーク側によって設定されたモニタリング周期とオフセットを満たす最初のスロット、又は、ネットワーク側によって設定されたモニタリング周期とオフセットを満たす後続のＮ個のスロットの後の、ネットワーク側によって設定されたモニタリング周期とオフセットを満たす最初の下りリンクスロットを指す。
【００４５】
本開示の実施例において、任意選択的に、該ＤＣＩは、既存のＤＣＩフォーマットを再利用（又は多重化）すること、すなわち既存のＤＣＩのビットの役割を変更することによって実現され、又は該ＤＣＩは新しいＤＣＩフォーマットであり、すなわち、新しいＤＣＩフォーマットを設計することによって実現される。
【００４６】
本開示の実施例において、任意選択的に、第１ＰＤＣＣＨのＤＣＩにおける１つ又は複数のビットが、モニターされるＰＤＣＣＨを指示することは、第１ＰＤＣＣＨのＤＣＩにおける１つ又は複数のビットが指示する意味は、ＵＥがＰＤＣＣＨをモニターするデフォルトモニタリング動作（ｄｅｆａｕｌｔ  ｍｏｎｉｔｏｒｉｎｇ  ｂｅｈａｖｉｏｒ）を含むことを含む。さらに、前記デフォルトモニタリング動作は、前記ＵＥが、ネットワーク側によって設定されたモニタリング周期とオフセットに合致する次のスロット又は下りリンクスロットにおいてＰＤＣＣＨをモニターすることを少なくとも含む。
【００４７】
上記の方法２において、第１ＰＤＣＣＨのＤＣＩにおける１つ又は複数のビットは、ＵＥが、後続のＮ個のスロットにおいて、第１ＰＤＣＣＨと同じＲＮＴＩ又は特定のＲＮＴＩを有する第３ＰＤＣＣＨを、モニターしないことを指示する。
【００４８】
例えば、第１ＲＮＴＩを有する第３ＰＤＣＣＨのＤＣＩにおける１つ又は複数のビットは、ＵＥが、後続のＮ個のスロットにおいて、第１ＲＮＴＩを有する第３ＰＤＣＣＨをモニターしないことを指示する。
【００４９】
また、例えば、第１ＲＮＴＩを有する第３ＰＤＣＣＨのＤＣＩにおける１つ又は複数のビットは、ＵＥが、後続のＮ個のスロットにおいて、第２ＲＮＴＩを有する第３ＰＤＣＣＨをモニターしないことを指示する。
【００５０】
本開示の実施例において、ＲＮＴＩのタイプは、
Ｃｅｌｌ−Ｒａｄｉｏ Ｎｅｔｗｏｒｋ Ｔｅｍｐｏｒａｒｙ Ｉｄｅｎｔｉｆｉｅｒ（Ｃ−ＲＮＴＩ）、Ｔｅｍｐｏｒａｒｙ Ｃ−ＲＮＴＩ（ＴＣ−ＲＮＴＩ）、Ｓｙｓｔｅｍ Ｉｎｆｏｒｍａｔｉｏｎ ＲＮＴＩ（ＳＩ−ＲＮＴＩ）、Ｐａｇｉｎｇ ＲＮＴＩ（Ｐ−ＲＮＴＩ）、Ｓｅｍｉ−ｐｅｒｓｉｓｔａｎｃｅ Ｓｃｈｅｄｕｌｉｎｇ  ＲＮＴＩ（ＳＰＳ−ＲＮＴＩ）、Ｃｏｎｆｉｇｕｒｅｄ Ｓｃｈｅｄｕｌｉｎｇ ＲＮＴＩ（ＣＳ−ＲＮＴＩ）、Ｉｎｔｅｒｒｕｐｔｉｏｎ ＲＮＴＩ（ＩＮＴ−ＲＮＴＩ）、Ｔｒａｎｓｍｉｔ Ｐｏｗｅｒ Ｃｏｎｔｒｏｌ−Ｓｏｕｎｄｉｎｇ Ｒｅｆｅｒｅｎｃｅ Ｓｙｍｂｏｌｓ ＲＮＴＩ（ＴＰＣ−ＳＲＳ−ＲＮＴＩ）、Ｔｒａｎｓｍｉｔ Ｐｏｗｅｒ Ｃｏｎｔｒｏｌ−Ｐｈｙｓｉｃａｌ Ｕｐｌｉｎｋ Ｓｈａｒｅｄ Ｃｈａｎｎｅｌ−ＲＮＴＩ（ＴＰＣ−ＰＵＳＣＨ−ＲＮＴＩ）、Ｔｒａｎｓｍｉｔ Ｐｏｗｅｒ Ｃｏｎｔｒｏｌ−Ｐｈｙｓｉｃａｌ Ｕｐｌｉｎｋ Ｃｏｎｔｒｏｌ Ｃｈａｎｎｅｌ−ＲＮＴＩ（ＴＰＣ−ＰＵＣＣＨ−ＲＮＴＩ）、Ｓｅｍｉ−Ｐｅｒｓｉｓｔｅｎｔ ＣＳＩ ＲＮＴＩ（ＳＰ−ＣＳＩ−ＲＮＴＩ）、Ｒａｎｄｏｍ Ａｃｃｅｓｓ ＲＮＴＩ（ＲＡ−ＲＮＴＩ）、及びＳｌｏｔ Ｆｏｒｍａｔ Ｉｎｄｉｃａｔｉｏｎ ＲＮＴＩ（ＳＦＩ−ＲＮＴＩ）などのうちのいずれか１つを含む。
【００５１】
前記第１ＲＮＴＩと第２ＲＮＴＩは前記ＲＮＴＩのタイプのうちいずれか１つに属し、かつ第１ＲＮＴＩと第２ＲＮＴＩは異なる。
【００５２】
上記方法３において、第１ＰＤＣＣＨのＤＣＩにおける１つ又は複数のビットは、ＵＥが、後続のＮ個のスロットにおいて、第１ＰＤＣＣＨと同じサーチスペース（Ｓｅａｒｃｈ  Ｓｐａｃｅ、ＳＳ）又は特定のサーチスペースを有する第４ＰＤＣＣＨをモニターしないことを指示する。
【００５３】
例えば、第１サーチスペースを有する第１ＰＤＣＣＨのＤＣＩは、ＵＥが、後続のＮ個のスロットにおいて、第１サーチスペースを有する第４ＰＤＣＣＨをモニターしないことを指示する。
【００５４】
また、例えば、第１のサーチスペースを有する第１ＰＤＣＣＨのＤＣＩは、ＵＥが、後続のＮ個のスロットにおいて、第２サーチスペースを有する第４ＰＤＣＣＨをモニターしないことを指示する。
【００５５】
上述の方法４において、第１ＰＤＣＣＨのＤＣＩにおける１つ又は複数のビットは、ＵＥが、後続のＮ個のスロットにおいて、第１ＰＤＣＣＨと同じサーチスペースタイプ（ｓｅａｒｃｈ  ｓｐａｃｅ  ｔｙｐｅ）又は特定のサーチスペースタイプを有する第５ＰＤＣＣＨをモニターしないことを指示することは、
（ａ）第１共通サーチスペースタイプに属する第１ＰＤＣＣＨのＤＣＩにおける１つ又は複数のビットは、ＵＥが、後続のＮ個のスロットにおいて、第１共通サーチスペースタイプを有する第５ＰＤＣＣＨをモニターしないことを指示し、ここで、第１共通サーチスペースタイプは共通サーチスペースタイプ０（Ｔｙｐｅ  ０  ＣＳＳ）又は共通サーチスペースタイプ０Ａ（Ｔｙｐｅ  ０Ａ  ＣＳＳ）であることと、
（ｂ）第２共通サーチスペースタイプに属する前記第１ＰＤＣＣＨのＤＣＩにおける１つ又は複数のビットは、ＵＥが、後続のＮ個のスロットにおいて、第２共通サーチスペースタイプを有する第５ＰＤＣＣＨをモニターしないことを指示し、ここで、第１共通サーチスペースタイプは共通サーチスペースタイプ１（Ｔｙｐｅ  １  ＣＳＳ）であることと、
（ｃ）第３共通サーチスペースタイプに属する前記第１ＰＤＣＣＨのＤＣＩにおける１つ又は複数のビットは、ＵＥが、後続のＮ個のスロットにおいて、第３共通サーチスペースタイプを有する第５ＰＤＣＣＨをモニターしないことを指示し、ここで、前記第３共通サーチスペースタイプは共通サーチスペースタイプ２（Ｔｙｐｅ  ２  ＣＳＳ）であることと、
（ｄ）第４共通サーチスペースタイプに属する前記第１ＰＤＣＣＨのＤＣＩにおける１つ又は複数のビットは、ＵＥが、後続のＮ個のスロットにおいて、第４共通サーチスペースタイプを有する第５ＰＤＣＣＨをモニターしないことを指示し、ここで、前記第４共通サーチスペースタイプは共通サーチスペースタイプ３（Ｔｙｐｅ  ３  ＣＳＳ）であることと、
（ｅ）ＵＥ個別サーチスペース（ＵＥ  ＳＳ）に属する前記第１ＰＤＣＣＨのＤＣＩにおける１つ又は複数のビットは、前記ＵＥが、後続のＮ個のスロットにおいてＵＥ個別サーチスペースを有する第５のＰＤＣＣＨをモニターしないことを指示することと、
（ｆ）第１サーチスペースタイプに属する前記第１ＰＤＣＣＨのＤＣＩにおける１つ又は複数のビットは、前記ＵＥが、後続のＮ個のスロットにおいて、第２サーチスペースタイプを有する第５ＰＤＣＣＨをモニターしないことを指示することと、のうち少なくとも１つを含む。
【００５６】
本開示の実施例では、ＵＥにモニターされた第１ＰＤＣＣＨのＤＣＩにおける１つ又は複数のビットを取得し、該第１ＰＤＣＣＨのＤＣＩにおける１つ又は複数のビットが、モニターされないＰＤＣＣＨ及び／又はモニターされるＰＤＣＣＨを指示することにより、ＵＥが、第１ＰＤＣＣＨのＤＣＩにおける１つ又は複数のビットに基づいて、モニターされないＰＤＣＣＨ及び／又はモニターされるＰＤＣＣＨを決定することができ、ＵＥによる不必要なＰＤＣＣＨモニタリングを回避し、ＵＥの電力消費を低減することができる。
【００５７】
図３は本開示の実施例例によって提供されるＰＤＣＣＨの設定方法のフローチャートを示しており、該方法は、ネットワーク側機器を実行主体とし、具体的には以下のステップを含む。
【００５８】
ステップ３０１：第１ＰＤＣＣＨのＤＣＩにおける１つ又は複数のビットを設定し、前記第１ＰＤＣＣＨのＤＣＩにおける１つ又は複数のビットは、ＵＥにモニターされないＰＤＣＣＨ及び／又はモニターされるＰＤＣＣＨを指示する。
【００５９】
本開示の実施例において、図３の方法は、ＵＥに指示情報を送信するステップをさらに含み、前記指示情報は、ＵＥが第１ＰＤＣＣＨをモニターすること、又はネットワーク側が前記ＵＥに前記第１ＰＤＣＣＨを設定することを指示するために用いられ、又は、指示情報は、ＵＥが第１ＰＤＣＣＨをモニターしないこと、又はネットワーク側が前記ＵＥに前記第１ＰＤＣＣＨを設定していないことを指示するために用いられる。
【００６０】
本開示の実施例において、任意選択的に、第１ＰＤＣＣＨのＤＣＩにおける１つ又は複数のビットは、モニターされないＰＤＣＣＨを指示し、指示方法は、方法１から方法５の少なくとも１つを含む。
【００６１】
方法１：第１ＰＤＣＣＨのＤＣＩにおける１又は複数のビットは、ＵＥが、後続のＮ個のスロットにおいて、第１ＰＤＣＣＨと同じＤＣＩフォーマット（ＤＣＩ  ｆｏｒｍａｔ）又は特定のＤＣＩフォーマットを有する第２ＰＤＣＣＨをモニターしないことを指示し、ここで、特定のＤＣＩフォーマットは、ある１種のＤＣＩフォーマット又は幾つかのＤＣＩフォーマットであってもよく、Ｎは１以上の整数である。
【００６２】
方法２：第１ＰＤＣＣＨのＤＣＩにおける１つ又は複数のビットは、ＵＥが、後続のＮ個のスロットにおいて、第１ＰＤＣＣＨと同じ無線ネットワーク一時的識別子（Ｒａｄｉｏ  Ｎｅｔｗｏｒｋ  Ｔｅｍｐｏｒｙ  Ｉｄｅｎｔｉｔｙ、ＲＮＴＩ）又は特定のＲＮＴＩを有する第３ＰＤＣＣＨをモニターしないことを指示し、ここで、特定のＲＮＴＩは、ある１種のＲＮＴＩ又は幾つかのＲＮＴＩであってもよく、Ｎは１以上の整数である。
【００６３】
方法３：第１ＰＤＣＣＨのＤＣＩにおける１つ又は複数のビットは、ＵＥが、後続のＮ個のスロットにおいて、第１ＰＤＣＣＨと同じサーチスペース（Ｓｅａｒｃｈ  Ｓｐａｃｅ、ＳＳ）又は特定のサーチスペースを有する第４ＰＤＣＣＨをモニターしないことを指示し、ここで、特定のサーチスペースは、ある１つのサーチスペース又はある１つのサーチスペースであってもよく、Ｎは１以上の整数である。
【００６４】
方法４：第１ＰＤＣＣＨのＤＣＩにおける１つ又は複数のビットは、ＵＥが、後続のＮ個のスロットにおいて、第１ＰＤＣＣＨと同じサーチスペースタイプ又は特定のサーチスペースタイプを有する第５ＰＤＣＣＨをモニターしないことを指示し、ここで、特定のサーチスペースタイプは、ある１種のサーチスペースタイプ又は幾つかのサーチスペースタイプであってもよく、Ｎは１以上の整数である。
【００６５】
方法５：第１ＰＤＣＣＨのＤＣＩにおける１つ又は複数のビットは、前記ＵＥが、後続のＮ個のスロットにおいて、前記ＰＤＣＣＨと同じ制御リソースセット（Ｃｏｎｔｒｏｌ−Ｒｅｓｏｕｒｃｅ  Ｓｅｔ、ＣＯＲＥＳＥＴ）又は特定のＣＯＲＥＳＥＴを有する第６ＰＤＣＣＨをモニターしないことを指示し、ここで、特定ＣＯＲＥＳＥＴは、ある１種のＣＯＲＥＳＥＴ又は幾つかのＣＯＲＥＳＥＴであってもよく、Ｎは、１以上の整数である。
【００６６】
上記方法１において、第１ＰＤＣＣＨのＤＣＩにおける１つ又は複数のビットは、ＵＥが、後続のＮ個のスロットにおいて、第１ＰＤＣＣＨと同じＤＣＩフォーマット又は特定のＤＣＩフォーマットを有する第２ＰＤＣＣＨをモニターしないことを指示することは、以下の（ａ）〜（ｇ）のうち少なくとも１つを含む。
【００６７】
（ａ）第１ＰＤＣＣＨの第１ＤＣＩフォーマット又は第２ＤＣＩフォーマットのＤＣＩにおける１つ又は複数のビットは、ＵＥが、後続のＮ個のスロットにおいて、第１ＤＣＩフォーマット又は第２ＤＣＩフォーマットを有する第２ＰＤＣＣＨをモニターしないことを指示する。ここで、第１ＤＣＩフォーマットは、１つのセルの物理上りリンク共有チャネルをスケジューリングするために用いられ、該第１ＤＣＩフォーマットは、ＤＣＩ  ｆｏｒｍａｔ０＿０であり、第２ＤＣＩフォーマットは、１つのセルの物理下りリンク共有チャネルをスケジューリングするために用いられ、該第２ＤＣＩフォーマットは、ＤＣＩ  ｆｏｒｍａｔ１＿０であり、すなわち、ＤＣＩ  ｆｏｒｍａｔ０＿０とＤＣＩ  ｆｏｒｍａｔ１＿０のうち少なくとも１つをモニターしない。
【００６８】
（ｂ）第１ＰＤＣＣＨの第１ＤＣＩフォーマット又は第３ＤＣＩフォーマットのＤＣＩにおける１つ又は複数のビットは、前記ＵＥが、後続のＮ個のスロットにおいて、第１ＤＣＩフォーマット又は第３ＤＣＩフォーマットを有する第２ＰＤＣＣＨをモニターしないことを指示する。ここで、第１ＤＣＩフォーマットは、１つのセルの物理上りリンク共有チャネルをスケジューリングするために用いられ、該第１ＤＣＩフォーマットは、ＤＣＩ  ｆｏｒｍａｔ０＿０であり、前記第３ＤＣＩフォーマットは、１つのセルの物理上りリンク共有チャネルをスケジューリングするために用いられ、該第３ＤＣＩフォーマットはＤＣＩ  ｆｏｒｍａｔ０＿１であり、即ち、上りリンクスケジューリングＤＣＩは、ＵＥが後続のＮ個の上りリンクスケジューリングＤＣＩをモニターしないことを指示する。
（ｃ）第１ＰＤＣＣＨの第２ＤＣＩフォーマット又は第４ＤＣＩフォーマットのＤＣＩにおける１つ又は複数のビットは、前記ＵＥが、後続のＮ個のスロットにおいて、第２ＤＣＩフォーマット又は第４ＤＣＩフォーマットを有する第２ＰＤＣＣＨをモニターしないことを指示する。ここで、前記第２ＤＣＩフォーマットは、１つのセルの物理下りリンク共有チャネルをスケジューリングするために用いられ、該第２ＤＣＩフォーマットは、ＤＣＩ  ｆｏｒｍａｔ１＿０であり、前記第４ＤＣＩフォーマットは、１つのセルの物理下りリンク共有チャネルをスケジューリングするために用いられ、該第４ＤＣＩフォーマットは、ＤＣＩ  ｆｏｒｍａｔ１＿１であり、即ち、下りリンクスケジューリングＤＣＩは、ＵＥが後続のＮ個の下りリンクスケジューリングＤＣＩをモニターしないことを指示する。
【００６９】
（ｄ）第１ＰＤＣＣＨの第２ＤＣＩフォーマット又は第４ＤＣＩフォーマットのＤＣＩにおける１つ又は複数のビットは、前記ＵＥが、後続のＮ個のスロットにおいて、第１ＤＣＩフォーマット又は第３ＤＣＩフォーマットを有する第２ＰＤＣＣＨをモニターしないことを指示する。ここで、前記第２ＤＣＩフォーマットは、１つのセルの物理下りリンク共有チャネルをスケジューリングするために用いられ、該第２ＤＣＩフォーマットは、ＤＣＩ  ｆｏｒｍａｔ１＿０であり、前記第４ＤＣＩフォーマットは、１つのセルの物理下りリンク共有チャネルをスケジューリングするために用いられ、前記第４ＤＣＩフォーマットは、ＤＣＩ  ｆｏｒｍａｔ１＿１であり、即ち、下りリンクスケジューリングＤＣＩは、ＵＥが後続のＮ個の上りスケジューリングＤＣＩをモニターしないことを指示する。
（ｅ）第１ＰＤＣＣＨの第１ＤＣＩフォーマット又は第３ＤＣＩフォーマットのＤＣＩにおける１つ又は複数のビットは、前記ＵＥが、後続のＮ個のスロットにおいて第２ＤＣＩフォーマット又は第４ＤＣＩフォーマットを有する第２ＰＤＣＣＨをモニターしないことを指示する。ここで、第１ＤＣＩフォーマットは、１つのセルの物理上りリンク共有チャネルをスケジューリングするために用いられ、該第１ＤＣＩフォーマットは、ＤＣＩ  ｆｏｒｍａｔ０＿０であり、前記第２ＤＣＩフォーマットは、１つのセルの物理下りリンク共有チャネルをスケジューリングするために用いられ、該第２ＤＣＩフォーマットは、ＤＣＩ  ｆｏｒｍａｔ１＿０であり、前記第３ＤＣＩフォーマットは、１つのセルの物理上りリンク共有チャネルをスケジューリングするために用いられ、該第３ＤＣＩフォーマットは、ＤＣＩ  ｆｏｒｍａｔ０＿１であり、前記第４ＤＣＩフォーマットは、１つのセルの物理下りリンク共有チャネルをスケジューリングするために用いられ、該第４ＤＣＩフォーマットは、ＤＣＩ  ｆｏｒｍａｔ１＿１であり、即ち、上りリンクスケジューリングＤＣＩは、ＵＥが後続のＮ個の下りリンクスケジューリングＤＣＩをモニターしないことを指示する。
【００７０】
（ｆ）第１ＰＤＣＣＨの第１ＤＣＩフォーマット、第２ＤＣＩフォーマット、第３ＤＣＩフォーマット、又は第４ＤＣＩフォーマットのＤＣＩにおける１つ又は複数のビットは、前記ＵＥが、後続のＮ個のスロットにおいて、第１ＤＣＩフォーマット、第２ＤＣＩフォーマット、第３ＤＣＩフォーマット、又は第４ＤＣＩフォーマットを有する第２ＰＤＣＣＨをモニターしないことを指示する。ここで、第１ＤＣＩフォーマットは１つのセルの物理上りリンク共有チャネルをスケジューリングするために用いられ、該第１ＤＣＩフォーマットはＤＣＩ  ｆｏｒｍａｔ０＿０であり、前記第２ＤＣＩフォーマットは１つのセルの物理下りリンク共有チャネルをスケジューリングするために用いられ、該第２ＤＣＩフォーマットはＤＣＩ  ｆｏｒｍａｔ１＿０であり、前記第３ＤＣＩフォーマットは１つのセルの物理上りリンク共有チャネルをスケジューリングするために用いられ、該第３ＤＣＩフォーマットは、ＤＣＩ  ｆｏｒｍａｔ０＿１であり、前記第４ＤＣＩフォーマットは、１つのセルの物理下りリンク共有チャネルをスケジューリングするために用いられ、該第４ＤＣＩフォーマットはＤＣＩ  ｆｏｒｍａｔ１＿１であり、すなわち、いずれか１つのデータスケジューリングＤＣＩは、ＵＥが後続のＮ個のデータスケジューリングＤＣＩをモニターしないことを指示する。
【００７１】
（ｇ）第１ＰＤＣＣＨの第５ＤＣＩフォーマットのＤＣＩにおける１つ又は複数のビットは、前記ＵＥが、後続のＮ個のスロットにおいて、第５ＤＣＩフォーマットを有する第２ＰＤＣＣＨをモニターしないことを指示する。ここで、第５ＤＣＩフォーマットは、１グループのＵＥのスロットフォーマットを通知するために用いられ、前記第５ＤＣＩフォーマットは、ＤＣＩ  ｆｏｒｍａｔ２＿０であり、具体的に、ＳＦＩ  ＤＣＩは、ＵＥが後続のＮ個のＳＦＩ  ＤＣＩをモニターしないことを指示し、すなわち、ＵＥは、該Ｎ個のＳＦＩ  ＤＣＩの存在する期間のＳＦＩが、いずれも最初のＳＦＩ  ＤＣＩに従って指示されると想定する。
【００７２】
本開示の実施例において、任意選択的に、後続のＮ個のスロットは、ネットワーク側によって設定されたモニタリング周期とオフセットを満たす後続のＮ個のスロット、又はネットワーク側によって設定されたモニタリング周期とオフセットを満たす後続のＮ個の下りリンクスロットを指す。
【００７３】
本開示の実施例において、任意選択的に、前記第１ＰＤＣＣＨのＤＣＩにおける１つ又は複数のビットは、モニターされるＰＤＣＣＨを指示することは、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じＤＣＩフォーマット又は特定のＤＣＩフォーマットを有する第７ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じ無線ネットワーク一時的識別子ＲＮＴＩ又は特定のＲＮＴＩを有する第８ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペース又は特定のサーチスペースを有する第９ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペースタイプ又は特定のサーチスペースタイプを有する第１０ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記ＰＤＣＣＨと同じ制御リソースセットＣＯＲＥＳＥＴ又は特定のＣＯＲＥＳＥＴを有する第１１ＰＤＣＣＨをモニターすることを指示することと、のうち少なくとも１つを含み、
ここで、Ｎは１以上の整数である。
【００７４】
本開示の実施例において、前記第１ＰＤＣＣＨのＤＣＩにおける１つ又は複数のビットは、ＵＥが、後続のＮ個のスロットの後の最初のスロットにおいて、前記第１ＰＤＣＣＨと同じＤＣＩフォーマット又は特定のＤＣＩフォーマットを有する第７ＰＤＣＣＨをモニターすることを指示することは、
前記第１ＰＤＣＣＨの第１ＤＣＩフォーマット又は第２ＤＣＩフォーマットのＤＣＩにおける１つ又は複数のビットは、前記ＵＥが、後続のＮ個のスロットの後の最初のスロットにおいて、第１ＤＣＩフォーマット又は第２ＤＣＩフォーマットを有する第７ＰＤＣＣＨをモニターすることを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットの後の最初のスロットにおいて、第１ＤＣＩフォーマット又は第３ＤＣＩフォーマットを有する第７ＰＤＣＣＨをモニターすることを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットの後の最初のスロットにおいて、第２ＤＣＩフォーマット又は第４ＤＣＩフォーマットを有する第７ＰＤＣＣＨをモニターすることを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットの後の最初のスロットにおいて、第１ＤＣＩフォーマット又は第３ＤＣＩフォーマットを有する第７ＰＤＣＣＨをモニターすることを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットの後の最初のスロットにおいて、第２ＤＣＩフォーマット又は第４ＤＣＩフォーマットを有する第７ＰＤＣＣＨをモニターすることを指示することと、
前記第１ＰＤＣＣＨの第１ＤＣＩフォーマット、第２ＤＣＩフォーマット、第３ＤＣＩフォーマット、又は第４ＤＣＩフォーマットのＤＣＩにおける１つ又は複数のビットは、前記ＵＥが、後続のＮ個のスロットの後の最初のスロットにおいて、第１ＤＣＩフォーマット、第２ＤＣＩフォーマット、第３ＤＣＩフォーマット、又は第４ＤＣＩフォーマットを有する第７ＰＤＣＣＨをモニターすることを指示することと、
前記第１ＰＤＣＣＨの第５ＤＣＩフォーマットのＤＣＩにおける１つ又は複数のビットは、前記ＵＥが、後続のＮ個のスロットの後の最初のスロットにおいて、第５ＤＣＩフォーマットを有する第７ＰＤＣＣＨをモニターすることを指示することととのうち少なくとも１つを含み、
前記第１ＤＣＩフォーマットは、１つのセルの物理上りリンク共有チャネルをスケジューリングするために用いられ、該第１ＤＣＩフォーマットはＤＣＩ  ｆｏｒｍａｔ０＿０であり、
前記第２ＤＣＩフォーマットは、１つのセルの物理下りリンク共有チャネルをスケジューリングするために用いられ、該第２ＤＣＩフォーマットはＤＣＩ  ｆｏｒｍａｔ１＿０であり、
前記第３ＤＣＩフォーマットは、１つのセルの物理上りリンク共有チャネルをスケジューリングするために用いられ、該第３ＤＣＩフォーマットはＤＣＩ  ｆｏｒｍａｔ０＿１であり、
前記第４ＤＣＩフォーマットは、１つのセルの物理下りリンク共有チャネルをスケジューリングするために用いられ、該第４ＤＣＩフォーマットはＤＣＩ  ｆｏｒｍａｔ１＿１であり、
前記第５ＤＣＩフォーマットは、１グループのＵＥのスロットフォーマットを通知するために用いられ、該第５ＤＣＩフォーマットは、ＤＣＩ  ｆｏｒｍａｔ２＿０である。
【００７５】
本開示の実施例において、任意選択的に、後続のＮ個のスロットの後の最初のスロットは、ネットワーク側によって設定されたモニタリング周期とオフセットを満たす後続のＮ個のスロットの後の、ネットワーク側によって設定されたモニタリング周期とオフセットを満たす最初のスロット、又は、ネットワーク側によって設定されたモニタリング周期とオフセットを満たす後続のＮ個のスロットの後の、ネットワーク側によって設定されたモニタリング周期とオフセットを満たす最初の下りリンクスロットを指す。
【００７６】
本開示の実施例において、該ＤＣＩは、任意選択的に、既存のＤＣＩフォーマットを再利用すること、すなわち既存のＤＣＩのビットの役割を変更することによって実現され、又は該ＤＣＩは新しいＤＣＩフォーマットであり、すなわち、新しいＤＣＩフォーマットを設計することによって実現される。
【００７７】
本開示の実施例において、任意選択的に、第１ＰＤＣＣＨのＤＣＩにおける１つ又は複数のビットが、モニターされるＰＤＣＣＨを指示し、第１ＰＤＣＣＨのＤＣＩにおける１つ又は複数のビットが指示する意味は、ＵＥがＰＤＣＣＨをモニターするデフォルトモニタリング動作（ｄｅｆａｕｌｔ  ｍｏｎｉｔｏｒｉｎｇ  ｂｅｈａｖｉｏｒ）を含むことを含む。さらに、前記デフォルトモニタリング動作は、前記ＵＥが、ネットワーク側によって設定されたモニタリング周期とオフセットに合致する次のスロット又は下りリンクスロットにおいてＰＤＣＣＨをモニターすることを少なくとも含む。
上記の方法２において、第１ＰＤＣＣＨのＤＣＩにおける１つ又は複数のビットは、ＵＥが、後続のＮ個のスロットにおいて、第１ＰＤＣＣＨと同じＲＮＴＩ又は特定のＲＮＴＩを有する第３ＰＤＣＣＨを、モニターしないことを指示する。
【００７８】
例えば、第１ＲＮＴＩを有する第３ＰＤＣＣＨのＤＣＩにおける１つ又は複数のビットは、ＵＥが、後続のＮ個のスロットにおいて、第１ＲＮＴＩを有する第３ＰＤＣＣＨをモニターしないことを指示する。
【００７９】
また、例えば、第１ＲＮＴＩを有する第３ＰＤＣＣＨのＤＣＩにおける１つ又は複数のビットは、ＵＥが、後続のＮ個のスロットにおいて、第２ＲＮＴＩを有する第３ＰＤＣＣＨをモニターしないことを指示する。
【００８０】
本開示の実施例において、ＲＮＴＩタイプは、Ｃｅｌｌ−Ｒａｄｉｏ Ｎｅｔｗｏｒｋ Ｔｅｍｐｏｒａｒｙ Ｉｄｅｎｔｉｆｉｅｒ（Ｃ−ＲＮＴＩ）、ＴＣ−ＲＮＴＩ、ＳＩ−ＲＮＴＩ、Ｐ−ＲＮＴＩ、ＳＰＳ−ＲＮＴＩ、ＣＳ−ＲＮＴＩ、ＩＮＴ−ＲＮＴＩ、ＴＰＣ−ＳＲＳ−ＲＮＴＩ、ＴＰＣ−ＰＵＳＣＨ−ＲＮＴＩ、ＴＰＣ−ＰＵＣＣＨ−ＲＮＴＩ、ＳＰ−ＣＳＩ−ＲＮＴＩ、ＲＡ−ＲＮＴＩ、及びＳＦＩ−ＲＮＴＩなどのうちのいずれか１つを含む。
【００８１】
前記第１ＲＮＴＩと第２ＲＮＴＩは前記ＲＮＴＩのタイプのうちいずれか１つに属し、かつ第１ＲＮＴＩと第２ＲＮＴＩは異なる。
【００８２】
上記方法３において、第１ＰＤＣＣＨのＤＣＩにおける１つ又は複数のビットは、ＵＥが、後続のＮ個のスロットにおいて、第１ＰＤＣＣＨと同じサーチスペース（Ｓｅａｒｃｈ  Ｓｐａｃｅ、ＳＳ）又は特定のサーチスペースを有する第４ＰＤＣＣＨをモニターしないことを指示する。
【００８３】
例えば、第１サーチスペースを有する第１ＰＤＣＣＨのＤＣＩは、ＵＥが、後続のＮ個のスロットにおいて第１サーチスペースを有する第４ＰＤＣＣＨをモニターしないことを指示する。
【００８４】
また、例えば、第１のサーチスペースを有する第１ＰＤＣＣＨのＤＣＩは、ＵＥが、後続のＮ個のスロットにおいて第２サーチスペースを有する第４ＰＤＣＣＨをモニターしないことを指示する。
【００８５】
上述の方法４において、第１ＰＤＣＣＨのＤＣＩにおける１つ又は複数のビットは、ＵＥが、後続のＮ個のスロットにおいて、第１ＰＤＣＣＨと同じサーチスペースタイプ（ｓｅａｒｃｈ  ｓｐａｃｅ  ｔｙｐｅ）又は特定のサーチスペースタイプを有する第５ＰＤＣＣＨをモニターしないことを指示することは、
（ａ）第１共通サーチスペースタイプに属する第１ＰＤＣＣＨのＤＣＩにおける１つ又は複数のビットは、ＵＥが、後続のＮ個のスロットにおいて、第１共通サーチスペースタイプを有する第５ＰＤＣＣＨをモニターしないことを指示し、ここで、第１共通サーチスペースタイプは共通サーチスペースタイプ０（Ｔｙｐｅ  ０  ＣＳＳ）又は共通サーチスペースタイプ０Ａ（Ｔｙｐｅ  ０Ａ  ＣＳＳ）であることと、
（ｂ）第２共通サーチスペースタイプに属する前記第１ＰＤＣＣＨのＤＣＩにおける１つ又は複数のビットは、ＵＥが、後続のＮ個のスロットにおいて、第２共通サーチスペースタイプを有する第５ＰＤＣＣＨをモニターしないことを指示し、ここで、第１共通サーチスペースタイプは共通サーチスペースタイプ１（Ｔｙｐｅ  １  ＣＳＳ）であることと、
（ｃ）第３共通サーチスペースタイプに属する前記第１ＰＤＣＣＨのＤＣＩにおける１つ又は複数のビットは、ＵＥが、後続のＮ個のスロットにおいて、第３共通サーチスペースタイプを有する第５ＰＤＣＣＨをモニターしないことを指示し、ここで、前記第３共通サーチスペースタイプは共通サーチスペースタイプ２（Ｔｙｐｅ  ２  ＣＳＳ）であることと、
（ｄ）第４共通サーチスペースタイプに属する前記第１ＰＤＣＣＨのＤＣＩにおける１つ又は複数のビットは、ＵＥが、後続のＮ個のスロットにおいて、第４共通サーチスペースタイプを有する第５ＰＤＣＣＨをモニターしないことを指示し、ここで、前記第４共通サーチスペースタイプは共通サーチスペースタイプ３（Ｔｙｐｅ  ３  ＣＳＳ）であることと、
（ｅ）ＵＥ個別サーチスペース（ＵＥ  ＳＳ）に属する前記第１ＰＤＣＣＨのＤＣＩにおける１つ又は複数のビットは、前記ＵＥが、後続のＮ個のスロットにおいてＵＥ個別サーチスペースを有する第５のＰＤＣＣＨをモニターしないことを指示することと、
（ｆ）第１サーチスペースタイプに属する前記第１ＰＤＣＣＨのＤＣＩにおける１つ又は複数のビットは、前記ＵＥが、後続のＮ個のスロットにおいて、第２サーチスペースタイプを有する第５ＰＤＣＣＨをモニターしないことを指示することと、のうち少なくとも１つを含む。
【００８６】
本開示の実施例では、ＵＥにモニターされた第１ＰＤＣＣＨのＤＣＩにおける１つ又は複数のビットを取得し、該第１ＰＤＣＣＨのＤＣＩにおける１つ又は複数のビットが、モニターされないＰＤＣＣＨ及び／又はモニターされるＰＤＣＣＨを指示することにより、ＵＥが、第１ＰＤＣＣＨのＤＣＩにおける１つ又は複数のビットに基づいて、モニターされないＰＤＣＣＨ及び／又はモニターされるＰＤＣＣＨを決定することができ、ＵＥによる不必要なＰＤＣＣＨモニタリングを回避し、ＵＥの電力消費を低減することができる。
【００８７】
本開示の実施例はさらにユーザ機器を提供するが、ユーザ機器が問題を解決する原理は、本開示の実施例におけるＰＤＣＣＨのモニタリング方法と類似するため、当該ユーザ機器の実施は、方法の実施を参照することができるので、重複の箇所は省略する。
【００８８】
図４は、本開示の実施例によって提供されるＵＥの構造を示しており、該ＵＥ４００は、
【００８９】
前記ＵＥにモニターされた第１ＰＤＣＣＨのＤＣＩにおける１つ又は複数のビットを取得するための取得モジュール４０１であって、前記第１ＰＤＣＣＨのＤＣＩにおける１つ又は複数のビットは、モニターされないＰＤＣＣＨ及び／又はモニターされるＰＤＣＣＨを指示する、取得モジュール４０１と、
前記第１ＰＤＣＣＨのＤＣＩの１つ又は複数のビットに基づいて、モニターされないＰＤＣＣＨ及び／又はモニターされるＰＤＣＣＨを決定するための決定モジュール４０２と、を備える。
【００９０】
本開示の実施例において、任意選択的に、ＵＥは、前記ネットワーク側から送信された指示情報を受信するための受信モジュールをさらに備え、前記指示情報は、前記ＵＥが第１ＰＤＣＣＨをモニターすること、又はネットワーク側が前記ＵＥに前記第１ＰＤＣＣＨを設定することを指示するために用いられ、又は、前記指示情報は、前記ＵＥが第１ＰＤＣＣＨをモニターしないこと、又はネットワーク側が前記ＵＥに前記第１ＰＤＣＣＨを設定していないことを指示するために用いられる。
【００９１】
本開示の実施例において、任意選択的に、第１ＰＤＣＣＨのＤＣＩにおける１つ又は複数のビットは、モニターされないＰＤＣＣＨを指示し、指示方法は、方法１から方法５の少なくとも１つを含む。
【００９２】
方法１：第１ＰＤＣＣＨのＤＣＩにおける１又は複数のビットは、ＵＥが、後続のＮ個のスロットにおいて、第１ＰＤＣＣＨと同じＤＣＩフォーマット（ＤＣＩ  ｆｏｒｍａｔ）又は特定のＤＣＩフォーマットを有する第２ＰＤＣＣＨをモニターしないことを指示し、ここで、特定のＤＣＩフォーマットは、ある１種のＤＣＩフォーマット又は幾つかのＤＣＩフォーマットであってもよく、Ｎは１以上の整数である。
【００９３】
方法２：第１ＰＤＣＣＨのＤＣＩにおける１つ又は複数のビットは、ＵＥが、後続のＮ個のスロットにおいて、第１ＰＤＣＣＨと同じＲＮＴＩ又は特定のＲＮＴＩを有する第３ＰＤＣＣＨをモニターしないことを指示し、ここで、特定のＲＮＴＩは、ある１種のＲＮＴＩ又は幾つかのＲＮＴＩであってもよく、Ｎは１以上の整数である。
【００９４】
方法３：第１ＰＤＣＣＨのＤＣＩにおける１つ又は複数のビットは、ＵＥが、後続のＮ個のスロットにおいて、第１ＰＤＣＣＨと同じサーチスペース（Ｓｅａｒｃｈ  Ｓｐａｃｅ、ＳＳ）又は特定のサーチスペースを有する第４ＰＤＣＣＨをモニターしないことを指示し、ここで、特定のサーチスペースは、ある１つのサーチスペース又はある１つのサーチスペースであってもよく、Ｎは１以上の整数である。
【００９５】
方法４：第１ＰＤＣＣＨのＤＣＩにおける１つ又は複数のビットは、ＵＥが、後続のＮ個のスロットにおいて、第１ＰＤＣＣＨと同じサーチスペースタイプ又は特定のサーチスペースタイプを有する第５ＰＤＣＣＨをモニターしないことを指示し、ここで、特定のサーチスペースタイプは、ある１種のサーチスペースタイプ又は幾つかのサーチスペースタイプであってもよく、Ｎは１以上の整数である。
【００９６】
方法５：第１ＰＤＣＣＨのＤＣＩにおける１つ又は複数のビットは、ＵＥが、後続のＮ個のスロットにおいて、前記ＰＤＣＣＨと同じ制御リソースセット（Ｃｏｎｔｒｏｌ−Ｒｅｓｏｕｒｃｅ  Ｓｅｔ、ＣＯＲＥＳＥＴ）又は特定のＣＯＲＥＳＥＴを有する第６ＰＤＣＣＨをモニターしないことを指示し、ここで、特定ＣＯＲＥＳＥＴは、ある１種のＣＯＲＥＳＥＴ又は幾つかのＣＯＲＥＳＥＴであってもよく、Ｎは、１以上の整数である。
【００９７】
上記方法１において、第１ＰＤＣＣＨのＤＣＩにおける１つ又は複数のビットは、ＵＥが、後続のＮ個のスロットにおいて、第１ＰＤＣＣＨと同じＤＣＩフォーマット又は特定のＤＣＩフォーマットを有する第２ＰＤＣＣＨをモニターしないことを指示することは、以下の（ａ）〜（ｇ）のうち少なくとも１つを含む。
【００９８】
（ａ）第１ＰＤＣＣＨの第１ＤＣＩフォーマット又は第２ＤＣＩフォーマットのＤＣＩにおける１つ又は複数のビットは、ＵＥが、後続のＮ個のスロットにおいて、第１ＤＣＩフォーマット又は第２ＤＣＩフォーマットを有する第２ＰＤＣＣＨをモニターしないことを指示する。ここで、第１ＤＣＩフォーマットは、１つのセルの物理上りリンク共有チャネルをスケジューリングするために用いられ、該第１ＤＣＩフォーマットは、ＤＣＩ  ｆｏｒｍａｔ０＿０であり、第２ＤＣＩフォーマットは、１つのセルの物理下りリンク共有チャネルをスケジューリングするために用いられ、該第２ＤＣＩフォーマットは、ＤＣＩ  ｆｏｒｍａｔ１＿０である。
【００９９】
（ｂ）第１ＰＤＣＣＨの第１ＤＣＩフォーマット又は第３ＤＣＩフォーマットのＤＣＩにおける１つ又は複数のビットは、前記ＵＥが、後続のＮ個のスロットにおいて、第１ＤＣＩフォーマット又は第３ＤＣＩフォーマットを有する第２ＰＤＣＣＨをモニターしないことを指示する。ここで、第１ＤＣＩフォーマットは、１つのセルの物理上りリンク共有チャネルをスケジューリングするために用いられ、該第１ＤＣＩフォーマットは、ＤＣＩ  ｆｏｒｍａｔ０＿０であり、前記第３ＤＣＩフォーマットは、１つのセルの物理上りリンク共有チャネルをスケジューリングするために用いられ、該第３ＤＣＩフォーマットはＤＣＩ  ｆｏｒｍａｔ０＿１である。
【０１００】
（ｃ）第１ＰＤＣＣＨの第２ＤＣＩフォーマット又は第４ＤＣＩフォーマットのＤＣＩにおける１つ又は複数のビットは、前記ＵＥが、後続のＮ個のスロットにおいて、第２ＤＣＩフォーマット又は第４ＤＣＩフォーマットを有する第２ＰＤＣＣＨをモニターしないことを指示する。ここで、前記第２ＤＣＩフォーマットは、１つのセルの物理下りリンク共有チャネルをスケジューリングするために用いられ、前記第２ＤＣＩフォーマットは、ＤＣＩ  ｆｏｒｍａｔ１＿０であり、前記第４ＤＣＩフォーマットは、１つのセルの物理下りリンク共有チャネルをスケジューリングするために用いられ、該第４ＤＣＩフォーマットは、ＤＣＩ  ｆｏｒｍａｔ１＿１である。
【０１０１】
（ｄ）第１ＰＤＣＣＨの第２ＤＣＩフォーマット又は第４ＤＣＩフォーマットのＤＣＩにおける１つ又は複数のビットは、前記ＵＥが、後続のＮ個のスロットにおいて、第１ＤＣＩフォーマット又は第３ＤＣＩフォーマットを有する第２ＰＤＣＣＨをモニターしないことを指示する。ここで、前記第２ＤＣＩフォーマットは、１つのセルの物理下りリンク共有チャネルをスケジューリングするために用いられ、該第２ＤＣＩフォーマットは、ＤＣＩ  ｆｏｒｍａｔ１＿０であり、前記第４ＤＣＩフォーマットは、１つのセルの物理下りリンク共有チャネルをスケジューリングするために用いられ、前記第４ＤＣＩフォーマットは、ＤＣＩ  ｆｏｒｍａｔ１＿１である。
【０１０２】
（ｅ）第１ＰＤＣＣＨの第１ＤＣＩフォーマット又は第３ＤＣＩフォーマットのＤＣＩにおける１つ又は複数のビットは、前記ＵＥが、後続のＮ個のスロットにおいて第２ＤＣＩフォーマット又は第４ＤＣＩフォーマットを有する第２ＰＤＣＣＨをモニターしないことを指示する。ここで、第１ＤＣＩフォーマットは、１つのセルの物理上りリンク共有チャネルをスケジューリングするために用いられ、該第１ＤＣＩフォーマットは、ＤＣＩ  ｆｏｒｍａｔ０＿０であり、前記第２ＤＣＩフォーマットは、１つのセルの物理下りリンク共有チャネルをスケジューリングするために用いられ、該第２ＤＣＩフォーマットは、ＤＣＩ  ｆｏｒｍａｔ１＿０であり、前記第３ＤＣＩフォーマットは、１つのセルの物理上りリンク共有チャネルをスケジューリングするために用いられ、該第３ＤＣＩフォーマットは、ＤＣＩ  ｆｏｒｍａｔ０＿１であり、前記第４ＤＣＩフォーマットは、１つのセルの物理下りリンク共有チャネルをスケジューリングするために用いられ、該第４ＤＣＩフォーマットは、ＤＣＩ  ｆｏｒｍａｔ１＿１である。
【０１０３】
（ｆ）第一ＰＤＣＣＨの第１ＤＣＩフォーマット、第２ＤＣＩフォーマット、第３ＤＣＩフォーマット、又は第４ＤＣＩフォーマットのＤＣＩにおける１つ又は複数のビットは、前記ＵＥが、後続のＮ個のスロットにおいて、第１ＤＣＩフォーマット、第２ＤＣＩフォーマット、第３ＤＣＩフォーマット、又は第４ＤＣＩフォーマットを有する第２ＰＤＣＣＨをモニターしないことを指示する。ここで、第１ＤＣＩフォーマットは１つのセルの物理上りリンク共有チャネルをスケジューリングするために用いられ、該第１ＤＣＩフォーマットはＤＣＩ  ｆｏｒｍａｔ０＿０であり、前記第２ＤＣＩフォーマットは１つのセルの物理下りリンク共有チャネルをスケジューリングするために用いられ、該第２ＤＣＩフォーマットはＤＣＩ  ｆｏｒｍａｔ１＿０であり、前記第３ＤＣＩフォーマットは１つのセルの物理上りリンク共有チャネルをスケジューリングするために用いられ、該第３ＤＣＩフォーマットは、ＤＣＩ  ｆｏｒｍａｔ０＿１であり、前記第４ＤＣＩフォーマットは、１つのセルの物理下りリンク共有チャネルをスケジューリングするために用いられ、該第４ＤＣＩフォーマットはＤＣＩ  ｆｏｒｍａｔ１＿１である。
【０１０４】
（ｇ）第１ＰＤＣＣＨの第５ＤＣＩフォーマットのＤＣＩにおける１つ又は複数のビットは、前記ＵＥが、後続のＮ個のスロットにおいて、第５ＤＣＩフォーマットを有する第２ＰＤＣＣＨをモニターしないことを指示する。ここで、第５ＤＣＩフォーマットは、１グループのＵＥのスロットフォーマットを通知するために用いられ、前記第５ＤＣＩフォーマットは、ＤＣＩ  ｆｏｒｍａｔ２＿０であり、具体的に、ＳＦＩ  ＤＣＩは、ＵＥが後続のＮ個のＳＦＩ  ＤＣＩをモニターしないことを指示し、すなわち、ＵＥは、該Ｎ個のＳＦＩ  ＤＣＩの存在する期間のＳＦＩが、いずれも最初のＳＦＩ  ＤＣＩに従って指示されると想定する。
【０１０５】
本開示の実施例において、任意選択的に、後続のＮ個のスロットは、ネットワーク側によって設定されたモニタリング周期とオフセットを満たす後続のＮ個のスロット、又はネットワーク側によって設定されたモニタリング周期とオフセットを満たす後続のＮ個の下りリンクスロットを指す。
本開示の実施例において、任意選択的に、前記第１ＰＤＣＣＨのＤＣＩにおける１つ又は複数のビットは、モニターされるＰＤＣＣＨを指示することは、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じＤＣＩフォーマット又は特定のＤＣＩフォーマットを有する第７ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じ無線ネットワーク一時的識別子ＲＮＴＩ又は特定のＲＮＴＩを有する第８ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペース又は特定のサーチスペースを有する第９ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペースタイプ又は特定のサーチスペースタイプを有する第１０ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記ＰＤＣＣＨと同じ制御リソースセットＣＯＲＥＳＥＴ又は特定のＣＯＲＥＳＥＴを有する第１１ＰＤＣＣＨをモニターすることを指示することと、のうち少なくとも１つを含み、
ここで、Ｎは１以上の整数である。
【０１０６】
本開示の実施例において、任意選択的に、前記第１ＰＤＣＣＨのＤＣＩにおける１つ又は複数のビットは、ＵＥが、後続のＮ個のスロットの後の最初のスロットにおいて、前記第１ＰＤＣＣＨと同じＤＣＩフォーマット又は特定のＤＣＩフォーマットを有する第７ＰＤＣＣＨをモニターすることを指示することは、
前記第１ＰＤＣＣＨの第１ＤＣＩフォーマット又は第２ＤＣＩフォーマットのＤＣＩにおける１つ又は複数のビットは、前記ＵＥが、後続のＮ個のスロットの後の最初のスロットにおいて、第１ＤＣＩフォーマット又は第２ＤＣＩフォーマットを有する第７ＰＤＣＣＨをモニターすることを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットの後の最初のスロットにおいて、第１ＤＣＩフォーマット又は第３ＤＣＩフォーマットを有する第７ＰＤＣＣＨをモニターすることを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットの後の最初のスロットにおいて、第２ＤＣＩフォーマット又は第４ＤＣＩフォーマットを有する第７ＰＤＣＣＨをモニターすることを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットの後の最初のスロットにおいて、第１ＤＣＩフォーマット又は第３ＤＣＩフォーマットを有する第７ＰＤＣＣＨをモニターすることを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットの後の最初のスロットにおいて、第２ＤＣＩフォーマット又は第４ＤＣＩフォーマットを有する第７ＰＤＣＣＨをモニターすることを指示することと、
前記第１ＰＤＣＣＨの第１ＤＣＩフォーマット、第２ＤＣＩフォーマット、第３ＤＣＩフォーマット、又は第４ＤＣＩフォーマットのＤＣＩにおける１つ又は複数のビットは、前記ＵＥが、後続のＮ個のスロットの後の最初のスロットにおいて、第１ＤＣＩフォーマット、第２ＤＣＩフォーマット、第３ＤＣＩフォーマット、又は第４ＤＣＩフォーマットを有する第７ＰＤＣＣＨをモニターすることを指示することと、
前記第１ＰＤＣＣＨの第５ＤＣＩフォーマットのＤＣＩにおける１つ又は複数のビットは、前記ＵＥが、後続のＮ個のスロットの後の最初のスロットにおいて、第５ＤＣＩフォーマットを有する第７ＰＤＣＣＨをモニターすることを指示することとのうち少なくとも１つを含み、
前記第１ＤＣＩフォーマットは、１つのセルの物理上りリンク共有チャネルをスケジューリングするために用いられ、
前記第２ＤＣＩフォーマットは、１つのセルの物理下りリンク共有チャネルをスケジューリングするために用いられ、
前記第３ＤＣＩフォーマットは、１つのセルの物理上りリンク共有チャネルをスケジューリングするために用いられ、
前記第４ＤＣＩフォーマットは、１つのセルの物理下りリンク共有チャネルをスケジューリングするために用いられ、
前記第５ＤＣＩフォーマットは、１グループのＵＥのスロットフォーマットを通知するために用いられる。
【０１０７】
本開示の実施例において、任意選択的に、後続のＮ個のスロットの後の最初のスロットは、ネットワーク側によって設定されたモニタリング周期とオフセットを満たす後続のＮ個のスロットの後の、ネットワーク側によって設定されたモニタリング周期とオフセットを満たす最初のスロット、又は、ネットワーク側によって設定されたモニタリング周期とオフセットを満たす後続のＮ個のスロットの後の、ネットワーク側によって設定されたモニタリング周期とオフセットを満たす最初の下りリンクスロットを指す。
【０１０８】
本開示の実施例において、該ＤＣＩは、任意選択的に、既存のＤＣＩフォーマットを再利用すること、すなわち既存のＤＣＩのビットの役割を変更することによって実現され、又は該ＤＣＩは新しいＤＣＩフォーマットであり、すなわち、新しいＤＣＩフォーマットを設計することによって実現される。
【０１０９】
本開示の実施例において、任意選択的に、第１ＰＤＣＣＨのＤＣＩにおける１つ又は複数のビットが、モニターされるＰＤＣＣＨを指示することは、第１ＰＤＣＣＨのＤＣＩにおける１つ又は複数のビットが指示する意味は、ＵＥがＰＤＣＣＨをモニターするデフォルトモニタリング動作（ｄｅｆａｕｌｔ  ｍｏｎｉｔｏｒｉｎｇ  ｂｅｈａｖｉｏｒ）を含むことを含む。さらに、前記デフォルトモニタリング動作は、前記ＵＥが、ネットワーク側によって設定されたモニタリング周期とオフセットに合致する次のスロット又は下りリンクスロットにおいてＰＤＣＣＨをモニターすることを少なくとも含む。
【０１１０】
上記の方法２において、第１ＰＤＣＣＨのＤＣＩにおける１つ又は複数のビットは、ＵＥが、後続のＮ個のスロットにおいて、第１ＰＤＣＣＨと同じＲＮＴＩ又は特定のＲＮＴＩを有する第３ＰＤＣＣＨをモニターしないことを指示する。
【０１１１】
例えば、第１ＲＮＴＩを有する第３ＰＤＣＣＨのＤＣＩにおける１つ又は複数のビットは、ＵＥが、後続のＮ個のスロットにおいて、第１ＲＮＴＩを有する第３ＰＤＣＣＨをモニターしないことを指示する。
【０１１２】
また、例えば、第１ＲＮＴＩを有する第３ＰＤＣＣＨのＤＣＩにおける１つ又は複数のビットは、ＵＥが、後続のＮ個のスロットにおいて、第２ＲＮＴＩを有する第３ＰＤＣＣＨをモニターしないことを指示する。
【０１１３】
本開示の実施例において、ＲＮＴＩタイプは、Ｃ−ＲＮＴＩ、ＴＣ−ＲＮＴＩ、ＳＩ−ＲＮＴＩ、Ｐ−ＲＮＴＩ、ＳＰＳ−ＲＮＴＩ、ＣＳ−ＲＮＴＩ、ＩＮＴ−ＲＮＴＩ、ＴＰＣ−ＳＲＳ−ＲＮＴＩ、ＴＰＣ−ＰＵＳＣＨ−ＲＮＴＩ、ＴＰＣ−ＰＵＣＣＨ−ＲＮＴＩ、ＳＰ−ＣＳＩ−ＲＮＴＩ、ＲＡ−ＲＮＴＩ、ＴＣ−ＲＮＴＩ、及びＳＦＩ−ＲＮＴＩなどのうちのいずれか１つを含む。
【０１１４】
前記第１ＲＮＴＩと第２ＲＮＴＩは前記ＲＮＴＩのタイプのうちいずれか１つに属し、かつ第１ＲＮＴＩと第２ＲＮＴＩは異なる。
【０１１５】
上記方法３において、第１ＰＤＣＣＨのＤＣＩにおける１つ又は複数のビットは、ＵＥが、後続のＮ個のスロットにおいて、第１ＰＤＣＣＨと同じサーチスペース（Ｓｅａｒｃｈ  Ｓｐａｃｅ、ＳＳ）又は特定のサーチスペースを有する第４ＰＤＣＣＨをモニターしないことを指示する。
【０１１６】
例えば、第１サーチスペースを有する第１ＰＤＣＣＨのＤＣＩは、ＵＥが、後続のＮ個のスロットにおいて第１サーチスペースを有する第４ＰＤＣＣＨをモニターしないことを指示する。
【０１１７】
また、例えば、第１のサーチスペースを有する第１ＰＤＣＣＨのＤＣＩは、ＵＥが、後続のＮ個のスロットにおいて第２サーチスペースを有する第４ＰＤＣＣＨをモニターしないことを指示する。
【０１１８】
上述の方法４において、第１ＰＤＣＣＨのＤＣＩにおける１つ又は複数のビットは、ＵＥが、後続のＮ個のスロットにおいて、第１ＰＤＣＣＨと同じサーチスペースタイプ（ｓｅａｒｃｈ  ｓｐａｃｅ  ｔｙｐｅ）又は特定のサーチスペースタイプを有する第５ＰＤＣＣＨをモニターしないことを指示することは、
（ａ）第１共通サーチスペースタイプに属する第１ＰＤＣＣＨのＤＣＩにおける１つ又は複数のビットは、ＵＥが、後続のＮ個のスロットにおいて、第１共通サーチスペースタイプを有する第５ＰＤＣＣＨをモニターしないことを指示し、ここで、第１共通サーチスペースタイプは共通サーチスペースタイプ０又は共通サーチスペースタイプ０Ａであることと、
（ｂ）第２共通サーチスペースタイプに属する前記第１ＰＤＣＣＨのＤＣＩにおける１つ又は複数のビットは、ＵＥが、後続のＮ個のスロットにおいて、第２共通サーチスペースタイプを有する第５ＰＤＣＣＨをモニターしないことを指示し、ここで、第１共通サーチスペースタイプは共通サーチスペースタイプ１であることと、
（ｃ）第３共通サーチスペースタイプに属する前記第１ＰＤＣＣＨのＤＣＩにおける１つ又は複数のビットは、ＵＥが、後続のＮ個のスロットにおいて、第３共通サーチスペースタイプを有する第５ＰＤＣＣＨをモニターしないことを指示し、ここで、前記第３共通サーチスペースタイプは共通サーチスペースタイプ２であることと、
（ｄ）第４共通サーチスペースタイプに属する前記第１ＰＤＣＣＨのＤＣＩにおける１つ又は複数のビットは、ＵＥが、後続のＮ個のスロットにおいて、第４共通サーチスペースタイプを有する第５ＰＤＣＣＨをモニターしないことを指示し、ここで、前記第４共通サーチスペースタイプは共通サーチスペースタイプ３であることと、
（ｅ）ＵＥ個別サーチスペースに属する前記第１ＰＤＣＣＨのＤＣＩにおける１つ又は複数のビットは、前記ＵＥが、後続のＮ個のスロットにおいてＵＥ個別サーチスペースを有する第５のＰＤＣＣＨをモニターしないことを指示することと、
（ｆ）第１サーチスペースタイプに属する前記第１ＰＤＣＣＨのＤＣＩにおける１つ又は複数のビットは、前記ＵＥが、後続のＮ個のスロットにおいて、第２サーチスペースタイプを有する第５ＰＤＣＣＨをモニターしないことを指示する。
【０１１９】
本開示の実施例で提供されるユーザ機器は、上述の方法の実施例を実行することができ、その実現原理及び技術的効果は類似しており、本実施例では詳しい説明を省略する。
【０１２０】
本開示の実施例はさらにネットワーク側機器を提供するが、ネットワーク側機器が問題を解決する原理は、本開示の実施例におけるＰＤＣＣＨの設定方法と類似するため、当該ネットワーク側機器の実施は、方法の実施を参照することができ、重複の箇所は省略する。
【０１２１】
図５は、本開示の実施例によって提供されるネットワーク側機器の構造を示しており、該ネットワーク側機器５００は、
第１ＰＤＣＣＨのＤＣＩにおける１つ又は複数のビットを設定するための設定モジュール５０１を備え、前記第１ＰＤＣＣＨのＤＣＩにおける１つ又は複数のビットは、ＵＥにモニターされないＰＤＣＣＨ及び／又はモニターされるＰＤＣＣＨを指示する。
【０１２２】
本開示の実施例において、任意選択的に、ネットワーク側機器は、前記ＵＥに指示情報を送信するための送信モジュールをさらに備え、前記指示情報は、前記ＵＥが第１ＰＤＣＣＨをモニターすること、又はネットワーク側が前記ＵＥに前記第１ＰＤＣＣＨを設定することを指示するために用いられ、又は、前記指示情報は、前記ＵＥが第１ＰＤＣＣＨをモニターしないこと、又はネットワーク側が前記ＵＥに前記第１ＰＤＣＣＨを設定していないことを指示するために用いられる。
【０１２３】
本開示の実施例において、任意選択的に、第１ＰＤＣＣＨのＤＣＩにおける１つ又は複数のビットは、モニターされないＰＤＣＣＨを指示し、指示方法は、方法１から方法５の少なくとも１つを含む。
【０１２４】
方法１：第１ＰＤＣＣＨのＤＣＩにおける１又は複数のビットは、ＵＥが、後続のＮ個のスロットにおいて、第１ＰＤＣＣＨと同じＤＣＩフォーマット（ＤＣＩ  ｆｏｒｍａｔ）又は特定のＤＣＩフォーマットを有する第２ＰＤＣＣＨをモニターしないことを指示し、ここで、特定のＤＣＩフォーマットは、ある１種のＤＣＩフォーマット又は幾つかのＤＣＩフォーマットであってもよく、Ｎは１以上の整数である。
【０１２５】
方法２：第１ＰＤＣＣＨのＤＣＩにおける１つ又は複数のビットは、ＵＥが、後続のＮ個のスロットにおいて、第１ＰＤＣＣＨと同じ無線ネットワーク一時的識別子（Ｒａｄｉｏ  Ｎｅｔｗｏｒｋ  Ｔｅｍｐｏｒｙ  Ｉｄｅｎｔｉｔｙ、ＲＮＴＩ）又は特定のＲＮＴＩを有する第３ＰＤＣＣＨをモニターしないことを指示し、ここで、特定のＲＮＴＩは、ある１種のＲＮＴＩ又は幾つかのＲＮＴＩであってもよく、Ｎは１以上の整数である。
【０１２６】
方法３：第１ＰＤＣＣＨのＤＣＩにおける１つ又は複数のビットは、ＵＥが、後続のＮ個のスロットにおいて、第１ＰＤＣＣＨと同じサーチスペース（Ｓｅａｒｃｈ  Ｓｐａｃｅ、ＳＳ）又は特定のサーチスペースを有する第４ＰＤＣＣＨをモニターしないことを指示し、ここで、特定のサーチスペースは、ある１つのサーチスペース又はある１つのサーチスペースであってもよく、Ｎは１以上の整数である。
【０１２７】
方法４：第１ＰＤＣＣＨのＤＣＩにおける１つ又は複数のビットは、ＵＥが、後続のＮ個のスロットにおいて、第１ＰＤＣＣＨと同じサーチスペースタイプ又は特定のサーチスペースタイプを有する第５ＰＤＣＣＨをモニターしないことを指示し、ここで、特定のサーチスペースタイプは、ある１種のサーチスペースタイプ又は幾つかのサーチスペースタイプであってもよく、Ｎは１以上の整数である。
【０１２８】
方法５：第１ＰＤＣＣＨのＤＣＩにおける１つ又は複数のビットは、前記ＵＥが、後続のＮ個のスロットにおいて、前記ＰＤＣＣＨと同じ制御リソースセット（Ｃｏｎｔｒｏｌ−Ｒｅｓｏｕｒｃｅ  Ｓｅｔ、ＣＯＲＥＳＥＴ）又は特定のＣＯＲＥＳＥＴを有する第６ＰＤＣＣＨをモニターしないことを指示し、ここで、特定ＣＯＲＥＳＥＴは、ある１種のＣＯＲＥＳＥＴ又は幾つかのＣＯＲＥＳＥＴであってもよく、Ｎは、１以上の整数である。
【０１２９】
上記方法１において、第１ＰＤＣＣＨのＤＣＩにおける１つ又は複数のビットは、ＵＥが、後続のＮ個のスロットにおいて、第１ＰＤＣＣＨと同じＤＣＩフォーマット又は特定のＤＣＩフォーマットを有する第２ＰＤＣＣＨをモニターしないこと、又は、特定のＤＣＩフォーマットの第２ＰＤＣＣＨをモニターしないことを指示することは、以下の（ａ）〜（ｇ）のうち少なくとも１つを含む。
【０１３０】
（ａ）第１ＰＤＣＣＨの第１ＤＣＩフォーマット又は第２ＤＣＩフォーマットのＤＣＩにおける１つ又は複数のビットは、ＵＥが、後続のＮ個のスロットにおいて、第１ＤＣＩフォーマット又は第２ＤＣＩフォーマットを有する第２ＰＤＣＣＨをモニターしないことを指示する。ここで、第１ＤＣＩフォーマットは、１つのセルの物理上りリンク共有チャネルをスケジューリングするために用いられ、該第１ＤＣＩフォーマットは、ＤＣＩ  ｆｏｒｍａｔ０＿０であり、第２ＤＣＩフォーマットは、１つのセルの物理下りリンク共有チャネルをスケジューリングするために用いられ、該第２ＤＣＩフォーマットは、ＤＣＩ  ｆｏｒｍａｔ１＿０である。
【０１３１】
（ｂ）第１ＰＤＣＣＨの第１ＤＣＩフォーマット又は第３ＤＣＩフォーマットのＤＣＩにおける１つ又は複数のビットは、前記ＵＥが、後続のＮ個のスロットにおいて、第１ＤＣＩフォーマット又は第３ＤＣＩフォーマットを有する第２ＰＤＣＣＨをモニターしないことを指示する。ここで、第１ＤＣＩフォーマットは、１つのセルの物理上りリンク共有チャネルをスケジューリングするために用いられ、該第１ＤＣＩフォーマットは、ＤＣＩ  ｆｏｒｍａｔ０＿０であり、前記第３ＤＣＩフォーマットは、１つのセルの物理上りリンク共有チャネルをスケジューリングするために用いられ、該第３ＤＣＩフォーマットはＤＣＩ  ｆｏｒｍａｔ０＿１である。
【０１３２】
（ｃ）第１ＰＤＣＣＨの第２ＤＣＩフォーマット又は第４ＤＣＩフォーマットのＤＣＩにおける１つ又は複数のビットは、前記ＵＥが、後続のＮ個のスロットにおいて、第２ＤＣＩフォーマット又は第４ＤＣＩフォーマットを有する第２ＰＤＣＣＨをモニターしないことを指示する。ここで、前記第２ＤＣＩフォーマットは、１つのセルの物理下りリンク共有チャネルをスケジューリングするために用いられ、該第２ＤＣＩフォーマットは、ＤＣＩ  ｆｏｒｍａｔ１＿０であり、前記第４ＤＣＩフォーマットは、１つのセルの物理下りリンク共有チャネルをスケジューリングするために用いられ、該第４ＤＣＩフォーマットは、ＤＣＩ  ｆｏｒｍａｔ１＿１である。
【０１３３】
（ｄ）第１ＰＤＣＣＨの第２ＤＣＩフォーマット又は第４ＤＣＩフォーマットのＤＣＩにおける１つ又は複数のビットは、前記ＵＥが、後続のＮ個のスロットにおいて、第１ＤＣＩフォーマット又は第３ＤＣＩフォーマットを有する第２ＰＤＣＣＨをモニターしないことを指示する。ここで、前記第２ＤＣＩフォーマットは、１つのセルの物理下りリンク共有チャネルをスケジューリングするために用いられ、該第２ＤＣＩフォーマットは、ＤＣＩ  ｆｏｒｍａｔ１＿０であり、前記第４ＤＣＩフォーマットは、１つのセルの物理下りリンク共有チャネルをスケジューリングするために用いられ、前記第４ＤＣＩフォーマットは、ＤＣＩ  ｆｏｒｍａｔ１＿１である。
【０１３４】
（ｅ）第１ＰＤＣＣＨの第１ＤＣＩフォーマット又は第３ＤＣＩフォーマットのＤＣＩにおける１つ又は複数のビットは、前記ＵＥが、後続のＮ個のスロットにおいて第２ＤＣＩフォーマット又は第４ＤＣＩフォーマットを有する第２ＰＤＣＣＨをモニターしないことを指示する。ここで、第１ＤＣＩフォーマットは、１つのセルの物理上りリンク共有チャネルをスケジューリングするために用いられ、該第１ＤＣＩフォーマットは、ＤＣＩ  ｆｏｒｍａｔ０＿０であり、前記第２ＤＣＩフォーマットは、１つのセルの物理下りリンク共有チャネルをスケジューリングするために用いられ、該第２ＤＣＩフォーマットは、ＤＣＩ  ｆｏｒｍａｔ１＿０であり、前記第３ＤＣＩフォーマットは、１つのセルの物理上りリンク共有チャネルをスケジューリングするために用いられ、該第３ＤＣＩフォーマットは、ＤＣＩ  ｆｏｒｍａｔ０＿１であり、前記第４ＤＣＩフォーマットは、１つのセルの物理下りリンク共有チャネルをスケジューリングするために用いられ、該第４ＤＣＩフォーマットは、ＤＣＩ  ｆｏｒｍａｔ１＿１である。
【０１３５】
（ｆ）第１ＰＤＣＣＨの第１ＤＣＩフォーマット、第２ＤＣＩフォーマット、第３ＤＣＩフォーマット、又は第４ＤＣＩフォーマットのＤＣＩにおける１つ又は複数のビットは、前記ＵＥが、後続のＮ個のスロットにおいて、第１ＤＣＩフォーマット、第２ＤＣＩフォーマット、第３ＤＣＩフォーマット、又は第４ＤＣＩフォーマットを有する第２ＰＤＣＣＨをモニターしないことを指示する。ここで、第１ＤＣＩフォーマットは１つのセルの物理上りリンク共有チャネルをスケジューリングするために用いられ、該第１ＤＣＩフォーマットはＤＣＩ  ｆｏｒｍａｔ０＿０であり、前記第２ＤＣＩフォーマットは１つのセルの物理下りリンク共有チャネルをスケジューリングするために用いられ、該第２ＤＣＩフォーマットはＤＣＩ  ｆｏｒｍａｔ１＿０であり、前記第３ＤＣＩフォーマットは１つのセルの物理上りリンク共有チャネルをスケジューリングするために用いられ、該第３ＤＣＩフォーマットは、ＤＣＩ  ｆｏｒｍａｔ０＿１であり、前記第４ＤＣＩフォーマットは、１つのセルの物理下りリンク共有チャネルをスケジューリングするために用いられ、該第４ＤＣＩフォーマットはＤＣＩ  ｆｏｒｍａｔ１＿１である。
【０１３６】
（ｇ）第１ＰＤＣＣＨの第５ＤＣＩフォーマットのＤＣＩにおける１つ又は複数のビットは、前記ＵＥが、後続のＮ個のスロットにおいて、第５ＤＣＩフォーマットを有する第２ＰＤＣＣＨをモニターしないことを指示する。ここで、第５ＤＣＩフォーマットは、１グループのＵＥのスロットフォーマットを通知するために用いられ、前記第５ＤＣＩフォーマットは、ＤＣＩ  ｆｏｒｍａｔ２＿０であり、具体的に、ＳＦＩ  ＤＣＩは、ＵＥが後続のＮ個のＳＦＩ  ＤＣＩをモニターしないことを指示し、すなわち、ＵＥは、該Ｎ個のＳＦＩ  ＤＣＩの存在する期間のＳＦＩが、いずれも最初のＳＦＩ  ＤＣＩに従って指示されると想定する。
【０１３７】
本開示の実施例において、任意選択的に、後続のＮ個のスロットは、ネットワーク側によって設定されたモニタリング周期とオフセットを満たす後続のＮ個のスロット、又はネットワーク側によって設定されたモニタリング周期とオフセットを満たす後続のＮ個の下りリンクスロットを指す。
本開示の実施例において、任意選択的に、前記第１ＰＤＣＣＨのＤＣＩにおける１つ又は複数のビットは、モニターされるＰＤＣＣＨを指示することは、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じＤＣＩフォーマット又は特定のＤＣＩフォーマットを有する第７ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じ無線ネットワーク一時的識別子ＲＮＴＩ又は特定のＲＮＴＩを有する第８ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペース又は特定のサーチスペースを有する第９ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペースタイプ又は特定のサーチスペースタイプを有する第１０ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記ＰＤＣＣＨと同じ制御リソースセットＣＯＲＥＳＥＴ又は特定のＣＯＲＥＳＥＴを有する第１１ＰＤＣＣＨをモニターすることを指示することと、のうち少なくとも１つを含み、
ここで、Ｎは１以上の整数である。
【０１３８】
本開示の実施例において、任意選択的に、前記第１ＰＤＣＣＨのＤＣＩにおける１つ又は複数のビットは、ＵＥが、後続のＮ個のスロットの後の最初のスロットにおいて、前記第１ＰＤＣＣＨと同じＤＣＩフォーマット又は特定のＤＣＩフォーマットを有する第７ＰＤＣＣＨをモニターすることを指示することは、
前記第１ＰＤＣＣＨの第１ＤＣＩフォーマット又は第２ＤＣＩフォーマットのＤＣＩにおける１つ又は複数のビットは、前記ＵＥが、後続のＮ個のスロットの後の最初のスロットにおいて、第１ＤＣＩフォーマット又は第２ＤＣＩフォーマットを有する第７ＰＤＣＣＨをモニターすることを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットの後の最初のスロットにおいて、第１ＤＣＩフォーマット又は第３ＤＣＩフォーマットを有する第７ＰＤＣＣＨをモニターすることを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットの後の最初のスロットにおいて、第２ＤＣＩフォーマット又は第４ＤＣＩフォーマットを有する第７ＰＤＣＣＨをモニターすることを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットの後の最初のスロットにおいて、第１ＤＣＩフォーマット又は第３ＤＣＩフォーマットを有する第７ＰＤＣＣＨをモニターすることを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットの後の最初のスロットにおいて、第２ＤＣＩフォーマット又は第４ＤＣＩフォーマットを有する第７ＰＤＣＣＨをモニターすることを指示することと、
前記第１ＰＤＣＣＨの第１ＤＣＩフォーマット、第２ＤＣＩフォーマット、第３ＤＣＩフォーマット、又は第４ＤＣＩフォーマットのＤＣＩにおける１つ又は複数のビットは、前記ＵＥが、後続のＮ個のスロットの後の最初のスロットにおいて、第１ＤＣＩフォーマット、第２ＤＣＩフォーマット、第３ＤＣＩフォーマット、又は第４ＤＣＩフォーマットを有する第７ＰＤＣＣＨをモニターすることを指示することと、
前記第１ＰＤＣＣＨの第５ＤＣＩフォーマットのＤＣＩにおける１つ又は複数のビットは、前記ＵＥが、後続のＮ個のスロットの後の最初のスロットにおいて、第５ＤＣＩフォーマットを有する第７ＰＤＣＣＨをモニターすることを指示することと、のうち少なくとも１つを含み、
前記第１ＤＣＩフォーマットは、１つのセルの物理上りリンク共有チャネルをスケジューリングするために用いられ、
前記第２ＤＣＩフォーマットは、１つのセルの物理下りリンク共有チャネルをスケジューリングするために用いられ、
前記第３ＤＣＩフォーマットは、１つのセルの物理上りリンク共有チャネルをスケジューリングするために用いられ、
前記第４ＤＣＩフォーマットは、１つのセルの物理下りリンク共有チャネルをスケジューリングするために用いられ、
前記第５ＤＣＩフォーマットは、１グループのＵＥのスロットフォーマットを通知するために用いられる。
【０１３９】
本開示の実施例において、任意選択的に、後続のＮ個のスロットの後の最初のスロットは、ネットワーク側によって設定されたモニタリング周期とオフセットを満たす後続のＮ個のスロットの後の、ネットワーク側によって設定されたモニタリング周期とオフセットを満たす最初のスロット、又は、ネットワーク側によって設定されたモニタリング周期とオフセットを満たす後続のＮ個のスロットの後の、ネットワーク側によって設定されたモニタリング周期とオフセットを満たす最初の下りリンクスロットを指す。
【０１４０】
本開示の実施例において、任意選択的に、該ＤＣＩは、既存のＤＣＩフォーマットを再利用すること、すなわち既存のＤＣＩのビットの役割を変更することによって実現され、又は該ＤＣＩは新しいＤＣＩフォーマットであり、すなわち、新しいＤＣＩフォーマットを設計することによって実現される。
【０１４１】
本開示の実施例において、任意選択的に、第１ＰＤＣＣＨのＤＣＩにおける１つ又は複数のビットが、モニターされるＰＤＣＣＨを指示することは、第１ＰＤＣＣＨのＤＣＩにおける１つ又は複数のビットが指示する意味は、ＵＥがＰＤＣＣＨをモニターするデフォルトモニタリング動作（ｄｅｆａｕｌｔ  ｍｏｎｉｔｏｒｉｎｇ  ｂｅｈａｖｉｏｒ）を含むことを含む。さらに、前記デフォルトモニタリング動作は、前記ＵＥが、ネットワーク側によって設定されたモニタリング周期とオフセットに合致する次のスロット又は下りリンクスロットにおいてＰＤＣＣＨをモニターすることを少なくとも含む。
【０１４２】
上記の方法２において、第１ＰＤＣＣＨのＤＣＩにおける１つ又は複数のビットは、ＵＥが、後続のＮ個のスロットにおいて、第１ＰＤＣＣＨと同じＲＮＴＩ又は特定のＲＮＴＩを有する第３ＰＤＣＣＨを、モニターしないことを指示する。
【０１４３】
例えば、第１ＲＮＴＩを有する第３ＰＤＣＣＨのＤＣＩにおける１つ又は複数のビットは、ＵＥが、後続のＮ個のスロットにおいて、第１ＲＮＴＩを有する第３ＰＤＣＣＨをモニターしないことを指示する。
【０１４４】
また、例えば、第１ＲＮＴＩを有する第３ＰＤＣＣＨのＤＣＩにおける１つ又は複数のビットは、ＵＥが、後続のＮ個のスロットにおいて、第２ＲＮＴＩを有する第３ＰＤＣＣＨをモニターしないことを指示する。
【０１４５】
本開示の実施例において、ＲＮＴＩタイプは、Ｃｅｌｌ−Ｒａｄｉｏ Ｎｅｔｗｏｒｋ Ｔｅｍｐｏｒａｒｙ Ｉｄｅｎｔｉｆｉｅｒ（Ｃ−ＲＮＴＩ）、ＴＣ−ＲＮＴＩ、ＳＩ−ＲＮＴＩ、Ｐ−ＲＮＴＩ、ＳＰＳ−ＲＮＴＩ、ＣＳ−ＲＮＴＩ、ＩＮＴ−ＲＮＴＩ、ＴＰＣ−ＳＲＳ−ＲＮＴＩ、ＴＰＣ−ＰＵＳＣＨ−ＲＮＴＩ、ＴＰＣ−ＰＵＣＣＨ−ＲＮＴＩ、ＳＰ−ＣＳＩ−ＲＮＴＩ、ＲＡ−ＲＮＴＩ、及びＳＦＩ−ＲＮＴＩなどのうちのいずれか１つを含む。
【０１４６】
前記第１ＲＮＴＩと第２ＲＮＴＩは上述のいずれか１つに属し、かつ第１ＲＮＴＩと第２ＲＮＴＩは異なる。
【０１４７】
上記方法３において、第１ＰＤＣＣＨのＤＣＩにおける１つ又は複数のビットは、ＵＥが、後続のＮ個のスロットにおいて、第１ＰＤＣＣＨと同じサーチスペース（Ｓｅａｒｃｈ  Ｓｐａｃｅ、ＳＳ）又は特定のサーチスペースを有する第４ＰＤＣＣＨをモニターしないことを指示する。
【０１４８】
例えば、第１サーチスペースを有する第１ＰＤＣＣＨのＤＣＩは、ＵＥが、後続のＮ個のスロットにおいて第１サーチスペースを有する第４ＰＤＣＣＨをモニターしないことを指示する。
【０１４９】
また、例えば、第１のサーチスペースを有する第１ＰＤＣＣＨのＤＣＩは、ＵＥが、後続のＮ個のスロットにおいて第２サーチスペースを有する第４ＰＤＣＣＨをモニターしないことを指示する。
【０１５０】
上述の方法４において、第１ＰＤＣＣＨのＤＣＩにおける１つ又は複数のビットは、ＵＥが、後続のＮ個のスロットにおいて、第１ＰＤＣＣＨと同じサーチスペースタイプ（ｓｅａｒｃｈ  ｓｐａｃｅ  ｔｙｐｅ）又は特定のサーチスペースタイプを有する第５ＰＤＣＣＨをモニターしないことを指示することは、
（ａ）第１共通サーチスペースタイプに属する第１ＰＤＣＣＨのＤＣＩにおける１つ又は複数のビットは、ＵＥが、後続のＮ個のスロットにおいて、第１共通サーチスペースタイプを有する第５ＰＤＣＣＨをモニターしないことを指示し、ここで、第１共通サーチスペースタイプは共通サーチスペースタイプ０又は共通サーチスペースタイプ０Ａであることと、
（ｂ）第２共通サーチスペースタイプに属する前記第１ＰＤＣＣＨのＤＣＩにおける１つ又は複数のビットは、ＵＥが、後続のＮ個のスロットにおいて、第２共通サーチスペースタイプを有する第５ＰＤＣＣＨをモニターしないことを指示し、ここで、第１共通サーチスペースタイプは共通サーチスペースタイプ１であることと、
（ｃ）第３共通サーチスペースタイプに属する前記第１ＰＤＣＣＨのＤＣＩにおける１つ又は複数のビットは、ＵＥが、後続のＮ個のスロットにおいて、第３共通サーチスペースタイプを有する第５ＰＤＣＣＨをモニターしないことを指示し、ここで、前記第３共通サーチスペースタイプは共通サーチスペースタイプ２であることと、
（ｄ）第４共通サーチスペースタイプに属する前記第１ＰＤＣＣＨのＤＣＩにおける１つ又は複数のビットは、ＵＥが、後続のＮ個のスロットにおいて、第４共通サーチスペースタイプを有する第５ＰＤＣＣＨをモニターしないことを指示し、ここで、前記第４共通サーチスペースタイプは共通サーチスペースタイプ３であることと、
（ｅ）ＵＥ個別サーチスペース（ＵＥ  ＳＳ）に属する前記第１ＰＤＣＣＨのＤＣＩにおける１つ又は複数のビットは、前記ＵＥが、後続のＮ個のスロットにおいてＵＥ個別サーチスペースを有する第５のＰＤＣＣＨをモニターしないことを指示することと、
（ｆ）第１サーチスペースタイプに属する前記第１ＰＤＣＣＨのＤＣＩにおける１つ又は複数のビットは、前記ＵＥが、後続のＮ個のスロットにおいて、第２サーチスペースタイプを有する第５ＰＤＣＣＨをモニターしないことを指示することと、のうち少なくとも１つを含む。
【０１５１】
本開示の実施例で提供されるネットワーク側機器は、上述の方法実施例を実行することができ、その実現原理と技術的効果は類似し、本実施例では詳しい説明は省略する。
【０１５２】
図６に示すように、図６に示すユーザ機器６００は、少なくとも１つのプロセッサ６０１と、メモリ６０２と、少なくとも１つのネットワークインターフェース６０４と、ユーザインターフェース６０３とを備える。ユーザ機器６００の中の様々なコンポーネントは、バスシステム６０５を介して互いに結合される。バスシステム６０５は、これらのコンポーネント間の接続通信を実現するために用いられる。バスシステム６０５は、データバスに加えて、電源バス、制御バス、及びステータス信号バスを含む。しかし、図６では、説明を明瞭にするために、各種バスが何れもバスシステム６０５として示されている。
【０１５３】
ユーザインターフェース６０３は、ディスプレイ、キーボード、又はポインティングデバイス（例えば、マウス、トラックボール（ｔｒａｃｋｂａｌｌ）、タッチパッド、又はタッチスクリーンなどを含んでよい。
【０１５４】
本開示の実施形態におけるメモリ６０２は、揮発性メモリ又は不揮発性メモリのいずれかであってもよく、又は揮発性メモリと不揮発性メモリとの両方を含んでもよい。ここで、不揮発性メモリは、読み出し専用メモリ（Ｒｅａｄ−Ｏｎｌｙ  Ｍｅｍｏｒｙ、ＲＯＭ）、プログラム可能な読み取り専用メモリ（Ｐｒｏｇｒａｍｍａｂｌｅ  ＲＯＭ、ＰＲＯＭ）、消去可能型プログラマブル読み取り専用メモリ（Ｅｒａｓａｂｌｅ  ＰＲＯＭ、ＥＰＲＯＭ）、電気的消去可能型プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってもよい。限定的ではない例示的な説明として、多くの形態のＲＡＭ、例えば、静的ランダムアクセスメモリ（Ｓｔａｔｉｃ  ＲＡＭ、ＳＲＡＭ）、動的ランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  ｒａｔｅ  ＳＤＲＡＭ、ＤＤＲＳＤＲＡＭ）、強化型シンクロナスダイナミックランダムアクセスメモリ（Ｅｎｈａｎｃｅｄ  ＳＤＲＡＭ、ＥＳＤＲＡＭ）、シンクロナスリンクダイナミックランダムアクセスメモリ（Ｓｙｎｃｈｌｉｎｋ  ＤＲＡＭ、ＳＬＤＲＡＭ）、及びダイレクトメモリバスランダムアクセスメモリ（Ｄｉｒｅｃｔ  Ｒａｍｂｕｓ  ＲＡＭ、ＤＲＲＡＭ）などが利用可能である。本開示の実施形態で説明されるシステム及び方法のメモリ６０２は、これら及び他の任意の適切なタイプのメモリを含むが、これらに限定されない。
【０１５５】
いくつかの実施形態において、メモリ６０２は、オペレーティングシステム６０２１及びアプリケーションプログラム６０２２を記憶し、モジュールやデータ構造、それらのサブセット、又はそれらの拡張セットを実行可能である。
【０１５６】
ここで、オペレーティングシステム６０２１は、各種システムプログラム、例えば、フレームワーク層、コアライブラリ層、ドライバ層等を含み、各種基幹業務の実現及びハードウェアベースのタスクの処理に用いられる。アプリケーションプログラム６０２２は、各種のアプリケーションプログラム、例えば、メディアプレーヤ（Ｍｅｄｉａ  Ｐｌａｙｅｒ）、ブラウザ（Ｂｒｏｗｓｅｒ）などを含み、各種のアプリケーションサービスを実現するために用いられる。本開示の実施例の方法を実現するプログラムは、アプリケーションプログラム６０２２に含まれ得る。
【０１５７】
本開示の実施例では、メモリ６０２に記憶されているプログラム又は命令、具体的には、アプリケーションプログラム６０２２に記憶されているプログラム又は命令を呼び出すことによって、前記ＵＥにモニターされた第１ＰＤＣＣＨのＤＣＩにおける１つ又は複数のビットを取得するステップであって、前記第１ＰＤＣＣＨのＤＣＩにおける１つ又は複数のビットは、モニターされないＰＤＣＣＨ及び／又はモニターされるＰＤＣＣＨを指示する、ステップと、前記第１ＰＤＣＣＨのＤＣＩにおける１つ又は複数のビットに基づいて、モニターされないＰＤＣＣＨ及び／又はモニターされるＰＤＣＣＨを特定するステップと、を実現することができる。
【０１５８】
本開示の実施例で提供されるユーザ機器は、上述の方法実施例を実行することができ、その実現原理及び技術的効果は類似しており、本実施例では詳しい説明を省略する。
【０１５９】
図７を参照すると、本開示の実施例は、プロセッサ７０１と、トランシーバ７０２と、メモリ７０３と、ユーザインターフェース７０４と、バスインターフェースとを備える別のネットワーク側機器７００を提供する。
【０１６０】
プロセッサ７０１は、バスアーキテクチャ及び通常の処理を管理する役割を果たすことができる。メモリ７０３は、動作を実行する際にプロセッサ７０１によって使用されるデータを記憶することができる。
【０１６１】
本開示の実施例において、ネットワーク側機器７００は、メモリ７０３に記憶され、プロセッサ７０１上で実行可能なコンピュータプログラムを更に含んでもよく、当該コンピュータプログラムがプロセッサ７０１によって実行されると、前記第１ＰＤＣＣＨのＤＣＩにおける１つ又は複数のビットを設定することを実現し、前記第１ＰＤＣＣＨのＤＣＩにおける１つ又は複数のビットは、ＵＥにモニターされないＰＤＣＣＨ及び／又はモニターされるＰＤＣＣＨを指示する。
【０１６２】
図７において、バスアーキテクチャは、任意の数の相互接続されたバス及びブリッジを含むことができ、具体的には、プロセッサ７０１によって表される１つ又は複数のプロセッサと、メモリ７０３によって表されるメモリの各種回路を一緒にリンクして含むことができる。バスアーキテクチャはまた、周辺機器、電圧レギュレータ、電力管理回路など様々な他の回路を互いにリンクすることができる。それらは当技術分野において公知されており、したがって、本開示ではこれ以上説明しない。バスインターフェースはインターフェースを提供する。トランシーバ７０２は、送信機と受信機を含む複数の要素であってよく、伝送媒体上で様々な他の装置と通信するためのユニットを提供する。
【０１６３】
本開示の開示内容に関連して説明された方法又はアルゴリズムのステップは、ハードウェアの形態で実現されてもよく、又はプロセッサがソフトウェア命令を実行する形態で実現されてもよい。ソフトウェア命令は、対応するソフトウェアモジュールから構成されことができ、そのソフトウェアモジュールはＲＡＭ、フラッシュメモリ、ＲＯＭ、ＥＰＲＯＭ、ＥＥＰＲＯＭ、レジスタ、ハードディスク、モバイルハードディスク、読み取り専用光ディスク、又は当技術分野で知られている任意の他の形態の記憶媒体に記憶され得る。例示的な記憶媒体は、プロセッサに結合され、それにより、プロセッサが記憶媒体から情報を読み取り、かつ該記憶媒体に情報を書き込むことができる。もちろん、記憶媒体はプロセッサの一部であってもよい。プロセッサ及び記憶媒体は、ＡＳＩＣ内に配置され得る。さらに、該ＡＳＩＣは、コアネットワークインターフェース機器内に配置されてもよい。当然ながら、プロセッサ及び記憶媒体は、別個のコンポーネントとしてコアネットワークインタフェース機器内に存在してもよい。
【０１６４】
当業者は、上述の１つ又は複数の例において、本開示で説明される機能が、ハードウェア、ソフトウェア、ファームウェア、又はそれらの任意の組合せによって実現され得ることを認識するはずである。ソフトウェアによって実現される場合、これらの機能は、コンピュータ可読媒体に記憶するか、又はコンピュータ可読媒体上の１つ以上の命令又はコードとして送信することができる。コンピュータ可読媒体は、コンピュータ記憶媒体と通信媒体を含み、通信媒体はある場所から別の場所へのコンピュータプログラムの転送を容易にする任意の媒体を含む。記憶媒体は、汎用又は専用コンピュータによってアクセスできる任意の利用可能な媒体とすることができる。
【０１６５】
上記の具体的な実施例は、本開示の目的、技術案、及び有益な効果についてさらに詳細に説明したが、上記は本開示の具体的な実施例に過ぎず、本開示の保護範囲を制限するものではなく、本開示の技術案に基づいてなされたあらゆる修正、等価な置換、改良等は、本開示の保護範囲内に含まれる。
当業者は、本開示の実施例が、方法、システム、又はコンピュータプログラム製品として提供できることを理解するはずである。したがって、本開示の実施例は、完全なハードウェアの実施例、完全なソフトウェアの実施例、又はソフトウェア及びハードウェアを組み合わせた実施例の形を採用することができる。さらに、本開示の実施例は、コンピュータ使用可能プログラムコードを内部に含む１つ又は複数のコンピュータ使用可能記憶媒体（磁気ディスク記憶機器、ＣＤ−ＲＯＭ、光学記憶機器などが挙げられるが、これらに限定されない）上で実現されるコンピュータプログラム製品の形態を採用することができる。
【０１６６】
本開示の実施例は、本開示の実施例の方法、機器（システム）、及びコンピュータプログラム製品のフローチャート及び／又はブロック図を参照して説明される。コンピュータプログラム命令によって、フローチャート及び／又はブロック図における各フロー及び／又はブロック、並びにフローチャート及び／又はブロック図におけるフロー及び／又はブロックの組み合わせを実現することができる。これらのコンピュータプログラム命令を、汎用コンピュータ、専用コンピュータ、組み込みプロセッサ、又は他のプログラム可能なデータ処理機器のプロセッサに提供してマシンを生成し、コンピュータ又は他のプログラム可能なデータ処理機器のプロセッサによって実行される命令が、フローチャートの１つ又は複数のフロー、及び／又はブロック図の１つ又は複数のブロックにおいて指定される機能を実現するための手段を生成させることができる。
【０１６７】
これらのコンピュータプログラム命令は、コンピュータ又は他のプログラム可能なデータ処理機器に特定の方法で機能するように指示することができるコンピュータ可読メモリに記憶されてもよく、その結果、該コンピュータ可読メモリに記憶された命令が命令手段を含む製品を生成し、前記命令手段は、フローチャートの１つ又は複数のフロー及び／又はブロック図の１つ又は複数のブロックにおいて指定された機能を実現する。これらのコンピュータプログラム命令は、コンピュータ又は他のプログラム可能なデータ処理機器にロードすることもでき、その結果、コンピュータ又は他のプログラム可能な機器上で一連の動作ステップが実行され、コンピュータで実現される処理を生成し、それにより、コンピュータ又は他のプログラム可能な機器上で実行される命令が、フローチャートの１つ又は複数のフロー、及び／又はブロック図の１つ又は複数のブロック内において指定された機能を実現するためのステップを提供する。
【０１６８】
明らかに、当業者は、本発明の思想及び範囲から逸脱することなく、本開示の実施例に様々な変更及び変形を加えることができる。したがって、本発明の実施例のこれらの変形及び変更が本発明の特許請求の範囲及びその均等範囲内に含まれる場合、本開示は、これらの変形及び変更も含むことを意図する。
【図１】
2021520142.tif 000003
【図２】
2021520142.tif 000004
【図３】
2021520142.tif 000005
【図４】
2021520142.tif 000006
【図５】
2021520142.tif 000007
【図６】
2021520142.tif 000008
【図７】
2021520142.tif 000009
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
ユーザ機器ＵＥにおける、物理下りリンク制御チャネルＰＤＣＣＨのモニタリング方法であって、
ＵＥにモニターされた第１ＰＤＣＣＨの下り制御情報ＤＣＩにおける１つ又は複数のビットを取得するステップと、
前記第１ＰＤＣＣＨのＤＣＩにおける１つ又は複数のビットに基づいて、モニターされないＰＤＣＣＨ及び／又はモニターされるＰＤＣＣＨを決定するステップとを含み、
前記第１ＰＤＣＣＨのＤＣＩにおける１つ又は複数のビットは、モニターされないＰＤＣＣＨ及び／又はモニターされるＰＤＣＣＨを指示する、方法。
【請求項２】
ネットワーク側から送信された指示情報を受信するステップをさらに含み、
前記指示情報は、
前記ＵＥが前記第１ＰＤＣＣＨをモニターすること、又はネットワーク側が前記ＵＥに前記第１ＰＤＣＣＨを設定することを指示する、又は
前記ＵＥが前記第１ＰＤＣＣＨをモニターしないこと、又はネットワーク側が前記ＵＥに前記第１ＰＤＣＣＨを設定していないことを指示するために用いられる、請求項１に記載の方法。
【請求項３】
前記第１ＰＤＣＣＨのＤＣＩにおける１つ又は複数のビットは、モニターされないＰＤＣＣＨを指示することは、
前記第１ＰＤＣＣＨのＤＣＩにおける１つ又は複数のビットは、前記ＵＥが、後続のＮ個のスロットにおいて、前記第１ＰＤＣＣＨと同じＤＣＩフォーマット又は特定のＤＣＩフォーマットを有する第２ＰＤＣＣＨをモニターしないことを指示することと、
前記第１ＰＤＣＣＨのＤＣＩにおける１つ又は複数のビットは、前記ＵＥが、後続のＮ個のスロットにおいて、前記第１ＰＤＣＣＨと同じ無線ネットワーク一時的識別子ＲＮＴＩ又は特定のＲＮＴＩを有する第３ＰＤＣＣＨをモニターしないことを指示することと、
前記第１ＰＤＣＣＨのＤＣＩにおける１つ又は複数のビットは、前記ＵＥが、後続のＮ個のスロットにおいて、前記第１ＰＤＣＣＨと同じサーチスペース又は特定のサーチスペースを有する第４ＰＤＣＣＨをモニターしないことを指示することと、
前記第１ＰＤＣＣＨのＤＣＩにおける１つ又は複数のビットは、前記ＵＥが、後続のＮ個のスロットにおいて、前記第１ＰＤＣＣＨと同じサーチスペースタイプ又は特定のサーチスペースタイプを有する第５ＰＤＣＣＨをモニターしないことを指示することと、
前記第１ＰＤＣＣＨのＤＣＩにおける１つ又は複数のビットは、前記ＵＥが、後続のＮ個のスロットにおいて、前記第１ＰＤＣＣＨと同じ制御リソースセットＣＯＲＥＳＥＴ又は特定のＣＯＲＥＳＥＴを有する第６ＰＤＣＣＨをモニターしないことを指示することとのうち、少なくとも１つを含み、
Ｎは１以上の整数である、請求項１に記載の方法。
【請求項４】
前記第１ＰＤＣＣＨのＤＣＩにおける１つ又は複数のビットは、前記ＵＥが、後続のＮ個のスロットにおいて、前記第１ＰＤＣＣＨと同じＤＣＩフォーマットを有する第２ＰＤＣＣＨ又は特定のＤＣＩフォーマットを有する第２ＰＤＣＣＨをモニターしないことを指示することは、
前記第１ＰＤＣＣＨの第１ＤＣＩフォーマット又は第２ＤＣＩフォーマットのＤＣＩにおける１つ又は複数のビットは、前記ＵＥが、後続のＮ個のスロットにおいて、第１ＤＣＩフォーマット又は第２ＤＣＩフォーマットを有する第２ＰＤＣＣＨをモニターしないことを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットにおいて、第１ＤＣＩフォーマット又は第３ＤＣＩフォーマットを有する第２ＰＤＣＣＨをモニターしないことを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットにおいて、第２ＤＣＩフォーマット又は第４ＤＣＩフォーマットを有する第２ＰＤＣＣＨをモニターしないことを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットにおいて、第１ＤＣＩフォーマット又は第３ＤＣＩフォーマットを有する第２ＰＤＣＣＨをモニターしないことを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットにおいて、第２ＤＣＩフォーマット又は第４ＤＣＩフォーマットを有する第２ＰＤＣＣＨをモニターしないことを指示することと、
前記第１ＰＤＣＣＨの第１ＤＣＩフォーマット、第２ＤＣＩフォーマット、第３ＤＣＩフォーマット、又は第４ＤＣＩフォーマットのＤＣＩにおける１つ又は複数のビットは、前記ＵＥが、後続のＮ個のスロットにおいて、第１ＤＣＩフォーマット、第２ＤＣＩフォーマット、第３ＤＣＩフォーマット、又は第４ＤＣＩフォーマットを有する第２ＰＤＣＣＨをモニターしないことを指示することと、
前記第１ＰＤＣＣＨの第５ＤＣＩフォーマットのＤＣＩにおける１つ又は複数のビットは、前記ＵＥが、後続のＮ個のスロットにおいて、第５ＤＣＩフォーマットを有する第２ＰＤＣＣＨをモニターしないことを指示することと、のうち少なくとも１つを含み、第１のＤＣＩフォーマットは、１つのセルの物理上りリンク共有チャネルをスケジューリングするために用いられ、
第２のＤＣＩフォーマットは、１つのセルの物理下りリンク共有チャネルをスケジューリングするために用いられ、
第３のＤＣＩフォーマットは、１つのセルの物理上りリンク共有チャネルをスケジューリングするために用いられ、
第４のＤＣＩフォーマットは、１つのセルの物理下りリンク共有チャネルをスケジューリングするために用いられ、
第５のＤＣＩフォーマットは、１グループのＵＥのスロットフォーマットを通知するために用いられる、請求項３に記載の方法。
【請求項５】
前記後続のＮ個のスロットは、ネットワーク側によって設定されたモニタリング周期とオフセットを満たす後続のＮ個のスロット、又はネットワーク側によって設定されたモニタリング周期とオフセットを満たす後続のＮ個の下りリンクスロットを指す、請求項３に記載の方法。
【請求項６】
前記第１ＰＤＣＣＨのＤＣＩにおける１つ又は複数のビットは、モニターされるＰＤＣＣＨを指示することは、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じＤＣＩフォーマット又は特定のＤＣＩフォーマットを有する第７ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じの無線ネットワーク一時的識別子ＲＮＴＩ又は特定のＲＮＴＩを有する第８ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペース又は特定のサーチスペースを有する第９ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペースタイプ又は特定のサーチスペースタイプを有する第１０ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記ＰＤＣＣＨと同じ制御リソースセットＣＯＲＥＳＥＴ又は特定ＣＯＲＥＳＥＴを有する第１１ＰＤＣＣＨをモニターすることを指示することと、のうち少なくとも１つを含み、
Ｎは１以上の整数である、請求項１に記載の方法。
【請求項７】
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じＤＣＩフォーマット又は特定のＤＣＩフォーマットを有する第７ＰＤＣＣＨをモニターすることを指示することは、
前記第１ＰＤＣＣＨの第１ＤＣＩフォーマット又は第２ＤＣＩフォーマットのＤＣＩにおける１つ又は複数のビットは、前記ＵＥが、後続のＮ個のスロットの後の最初のスロットにおいて、第１ＤＣＩフォーマット又は第２ＤＣＩフォーマットを有する第７ＰＤＣＣＨをモニターすることを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットの後の最初のスロットにおいて、第１ＤＣＩフォーマット又は第３ＤＣＩフォーマットを有する第７ＰＤＣＣＨをモニターすることを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットの後の最初のスロットにおいて、第２ＤＣＩフォーマット又は第４ＤＣＩフォーマットを有する第７ＰＤＣＣＨをモニターすることを指示することと、
前記第１ＰＤＣＣＨの第２ＤＣＩフォーマット又は第４ＤＣＩフォーマットのＤＣＩにおける１つ又は複数のビットは、前記ＵＥが、後続のＮ個のスロットの後の最初のスロットにおいて、第１ＤＣＩフォーマット又は第３ＤＣＩフォーマットを有する第７ＰＤＣＣＨをモニターすることを指示することと、
前記第１ＰＤＣＣＨの第１ＤＣＩフォーマット又は第３ＤＣＩフォーマットのＤＣＩにおける１つ又は複数のビットは、前記ＵＥが、後続のＮ個のスロットの後の最初のスロットにおいて、第２ＤＣＩフォーマット又は第４ＤＣＩフォーマットを有する第２ＰＤＣＣＨをモニターすることを指示することと、
前記第１ＰＤＣＣＨの第１ＤＣＩフォーマット、第２ＤＣＩフォーマット、第３ＤＣＩフォーマット、又は第４ＤＣＩフォーマットのＤＣＩにおける１つ又は複数のビットは、前記ＵＥが、後続のＮ個のスロットの後の最初のスロットにおいて、第１ＤＣＩフォーマット、第２ＤＣＩフォーマット、第３ＤＣＩフォーマット、又は第４ＤＣＩフォーマットを有する第７ＰＤＣＣＨをモニターすることを指示することと、
前記第１ＰＤＣＣＨの第５ＤＣＩフォーマットのＤＣＩにおける１つ又は複数のビットは、前記ＵＥが、後続のＮ個のスロットの後の最初のスロットにおいて、第５ＤＣＩフォーマットを有する第７ＰＤＣＣＨをモニターすることを指示することと、のうち少なくとも１つを含み、
前記第１ＤＣＩフォーマットは、１つのセルの物理上りリンク共有チャネルをスケジューリングするために用いられ、
前記第２ＤＣＩフォーマットは、１つのセルの物理下りリンク共有チャネルをスケジューリングするために用いられ、
前記第３ＤＣＩフォーマットは、１つのセルの物理上りリンク共有チャネルをスケジューリングするために用いられ、
前記第４ＤＣＩフォーマットは、１つのセルの物理下りリンク共有チャネルをスケジューリングするために用いられ、
前記第５ＤＣＩフォーマットは、１グループのＵＥのスロットフォーマットを通知するために用いられる、請求項６に記載の方法。
【請求項８】
前記後続のＮ個のスロットの後の前記最初のスロットは、ネットワーク側によって設定されたモニタリング周期とオフセットを満たす後続のＮ個のスロットの後の、ネットワーク側によって設定されたモニタリング周期とオフセットを満たす最初のスロット、又は、ネットワーク側によって設定されたモニタリング周期とオフセットを満たす後続のＮ個のスロットの後の、ネットワーク側によって設定されたモニタリング周期とオフセットを満たす最初の下りリンクスロットを指す、請求項６に記載の方法。
【請求項９】
前記第１ＰＤＣＣＨのＤＣＩにおける１つ又は複数のビットは、モニターされるＰＤＣＣＨを指示することは、
前記第１ＰＤＣＣＨのＤＣＩにおける１つ又は複数のビットが指示する意味は、前記ＵＥがＰＤＣＣＨをモニターするデフォルトモニタリング動作を含むことを含み、
前記デフォルトモニタリング動作は、前記ＵＥが、ネットワーク側によって設定されたモニタリング周期及びオフセットに合致する次のスロット又は下りリンクスロットにおいてＰＤＣＣＨをモニターすることを少なくとも含む、請求項１に記載の方法。
【請求項１０】
前記第１ＰＤＣＣＨのＤＣＩにおける１つ又は複数のビットは、前記ＵＥが、後続のＮ個のスロットにおいて、前記第１ＰＤＣＣＨと同じサーチスペースタイプ又は特定のサーチスペースタイプを有する第５ＰＤＣＣＨをモニターしないことを指示することは、
第１共通サーチスペースタイプに属する前記第１ＰＤＣＣＨのＤＣＩにおける１つ又は複数のビットは、前記ＵＥが、後続のＮ個のスロットにおいて、第１共通サーチスペースタイプを有する第５ＰＤＣＣＨをモニターしないことを指示することと、
第２共通サーチスペースタイプに属する前記第１ＰＤＣＣＨのＤＣＩにおける１つ又は複数のビットは、前記ＵＥが、後続のＮ個のスロットにおいて、第２の共通サーチスペースタイプを有する第５ＰＤＣＣＨをモニターしないことを指示することと、
第３共通サーチスペースタイプに属する前記第１ＰＤＣＣＨのＤＣＩにおける１つ又は複数のビットは、前記ＵＥが、後続のＮ個のスロットにおいて、第３共通サーチスペースタイプを有する第５ＰＤＣＣＨをモニターしないことを指示することと、
第４共通サーチスペースタイプに属する前記第１ＰＤＣＣＨのＤＣＩにおける１つ又は複数のビットは、前記ＵＥが、後続のＮ個のスロットにおいて、第４の共通サーチスペースタイプを有する第５のＰＤＣＣＨをモニターしないことを指示することと、
ＵＥ個別サーチスペースに属する前記第１ＰＤＣＣＨのＤＣＩにおける１つ又は複数のビットは、前記ＵＥが、後続のＮ個のスロットにおいてＵＥ個別サーチスペースを有する第５ＰＤＣＣＨをモニターしないことを指示することと、
第１サーチスペースタイプに属する前記第１ＰＤＣＣＨのＤＣＩにおける１つ又は複数のビットは、前記ＵＥが、後続のＮ個のスロットにおいて、第２サーチスペースタイプを有する第５ＰＤＣＣＨをモニターしないことを指示することと、のうち少なくとも１つを含む、請求項３に記載の方法。
【請求項１１】
ネットワーク側機器における、物理下りリンク制御チャネルＰＤＣＣＨの設定方法であって、
第１ＰＤＣＣＨの下り制御情報ＤＣＩにおける１つ又は複数のビットを設定するステップを含み、前記第１ＰＤＣＣＨのＤＣＩにおける１つ又は複数のビットは、ユーザ機器ＵＥにモニターされないＰＤＣＣＨ及び／又はモニターされるＰＤＣＣＨを指示する、方法。
【請求項１２】
前記第１ＰＤＣＣＨのＤＣＩにおける１つ又は複数のビットは、モニターされないＰＤＣＣＨを指示することは、
前記第１ＰＤＣＣＨのＤＣＩにおける１つ又は複数のビットは、ＵＥが、後続のＮ個のスロットにおいて、前記第１ＰＤＣＣＨと同じＤＣＩフォーマット又は特定のＤＣＩフォーマットを有する第２ＰＤＣＣＨをモニターしないことを指示することと、
前記第１ＰＤＣＣＨのＤＣＩにおける１つ又は複数のビットは、前記ＵＥが、後続のＮ個のスロットにおいて、前記第１ＰＤＣＣＨと同じ無線ネットワーク一時的識別子ＲＮＴＩ又は特定のＲＮＴＩを有する第３ＰＤＣＣＨをモニターしないことを指示することと、
前記第１ＰＤＣＣＨのＤＣＩにおける１つ又は複数のビットは、前記ＵＥが、後続のＮ個のスロットにおいて、前記第１ＰＤＣＣＨと同じサーチスペース又は特定のサーチスペースを有する第４ＰＤＣＣＨをモニターしないことを指示することと、
前記第１ＰＤＣＣＨのＤＣＩにおける１つ又は複数のビットは、前記ＵＥが、後続のＮ個のスロットにおいて、前記第１ＰＤＣＣＨと同じサーチスペースタイプ又は特定のサーチスペースタイプを有する第５ＰＤＣＣＨをモニターしないことを指示することと、前記第１ＰＤＣＣＨのＤＣＩにおける１つ又は複数のビットは、前記ＵＥが、後続のＮ個のスロットにおいて、前記ＰＤＣＣＨと同じ制御リソースセットＣＯＲＥＳＥＴ又は特定のＣＯＲＥＳＥＴを有する第６ＰＤＣＣＨをモニターしないことを指示することと、のうち少なくとも１つを含み、
Ｎは１以上の整数である、請求項１１に記載の方法。
【請求項１３】
前記第１ＰＤＣＣＨのＤＣＩにおける１つ又は複数のビットは、モニターされるＰＤＣＣＨを指示することは、
前記第１ＰＤＣＣＨのＤＣＩにおける１つ又は複数のビットは、ＵＥが、後続のＮ個のスロットの後の最初のスロットにおいて、前記第１ＰＤＣＣＨと同じＤＣＩフォーマット又は特定のＤＣＩフォーマットを有する第７ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じの無線ネットワーク一時的識別子ＲＮＴＩ又は特定のＲＮＴＩを有する第８ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペース又は特定のサーチスペースを有する第９ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記第１ＰＤＣＣＨと同じサーチスペースタイプ又は特定のサーチスペースタイプを有する第１０ＰＤＣＣＨをモニターすることを指示することと、
前記第１ＰＤＣＣＨのＤＣＩにおける１つ又は複数のビットは、前記ＵＥが、後続のＮ個のスロットの後の最初のスロットにおいて、前記ＰＤＣＣＨと同じ制御リソースセットＣＯＲＥＳＥＴ又は特定のＣＯＲＥＳＥＴを有する第１１ＰＤＣＣＨをモニターすることを指示することと、のうち少なくとも１つを含み、
Ｎは１以上の整数である、請求項１１に記載の方法。
【請求項１４】
ユーザ機器ＵＥにモニターされた第１物理下りリンク制御チャネルＰＤＣＣＨの下り制御情報ＤＣＩにおける１つ又は複数のビットを取得するための取得モジュールと、
第１ＰＤＣＣＨのＤＣＩにおける１つ又は複数のビットに基づいて、モニターされないＰＤＣＣＨ及び／又はモニターされるＰＤＣＣＨを決定するための決定モジュールとを備え、
前記第１ＰＤＣＣＨのＤＣＩにおける１つ又は複数のビットはモニターされないＰＤＣＣＨ及び／又はモニターされるＰＤＣＣＨを指示する、ユーザ機器。
【請求項１５】
第１物理下りリンク制御チャネルＰＤＣＣＨの下り制御情報ＤＣＩにおける１つ又は複数のビットを設定するための設定モジュールを備え、
第１ＰＤＣＣＨのＤＣＩにおける１つ又は複数のビットは、ユーザ機器ＵＥにモニターされないＰＤＣＣＨ及び／又はモニターされるＰＤＣＣＨを指示する、ネットワーク側機器。
【国際調査報告】
2021520142.tif 000010
2021520142.tif 000011
2021520142.tif 000012
2021520142.tif 000013